(57)【要約】  基板（３）において蒸着膜が形成される面に、フォトレジスト（１３）を、表示領域（Ｒ１）を含む封止樹脂（１１）が枠状に形成される封止領域内において、開口部を有するように形成し、その後、ストライプ状のパターンを有する発光層（８Ｒ・８Ｇ・８Ｂ）を形成し、その後にフォトレジスト（１３）を剥離液で除去し、高精細にパターニングされた発光層（８Ｒ・８Ｇ・８Ｂ）を形成する。
2012090771.tif 000002
【特許請求の範囲】
【請求項１】
基板に所定形状の蒸着膜を形成する蒸着膜の形成方法であって、
上記基板において上記蒸着膜が形成される面に、開口部を有するとともに剥離可能な所定形状のパターン膜を形成する工程と、
上記開口部および上記パターン膜上に、上記基板面上のある一つの方向に沿って、互いに所定間隔を有する複数の直線状の上記蒸着膜を形成する工程と、
上記パターン膜を剥離することによって、上記蒸着膜を所定形状に形成する工程と、を有することを特徴とする蒸着膜の形成方法。
【請求項２】
上記開口部および上記パターン膜上に上記蒸着膜を形成する工程の前または／および後には、上記パターン膜をマスクとして、上記蒸着膜とは異なる第１の膜を形成する工程が含まれており、
上記パターン膜の剥離は、上記第１の膜を形成する工程の後に行われることを特徴とする請求項１に記載の蒸着膜の形成方法。
【請求項３】
上記開口部および上記パターン膜上に上記蒸着膜を形成する工程の前または／および後には、貫通孔を有するマスクを用いて、上記蒸着膜とは異なる第２の膜を形成する工程が含まれており、
上記パターン膜の剥離は、上記第２の膜を形成する工程の後に行われることを特徴とする請求項１に記載の蒸着膜の形成方法。
【請求項４】
上記パターン膜は、感光性材料を露光および現像して形成されていることを特徴とする請求項１から３の何れか１項に記載の蒸着膜の形成方法。
【請求項５】
上記パターン膜は、フィルム状で剥離可能なドライフィルムであることを特徴とする請求項４に記載の蒸着膜の形成方法。
【請求項６】
上記パターン膜は、上記パターン膜を形成する工程の後工程において、分解物が生じない耐熱性材料で形成されていることを特徴とする請求項１から５の何れか１項に記載の蒸着膜の形成方法。
【請求項７】
上記開口部および上記パターン膜上に上記蒸着膜を形成する工程においては、
貫通孔を有するとともに、上記基板よりも面積が小さい蒸着マスクと、蒸着材料供給源から供給された蒸着粒子を上記蒸着マスクを介して、上記基板における上記パターン膜が形成された面に射出する射出口と、を備え、かつ、上記蒸着マスクと上記射出口との相対的な位置が固定されたマスクユニットにおける上記蒸着マスクは、上記基板とは、一定距離で維持されており、
上記マスクユニットおよび上記基板の少なくとも何れかの一方は、他方に対して、走査され、上記蒸着膜が形成されることを特徴とする請求項１から６の何れか１項に記載の蒸着膜の形成方法。
【請求項８】
上記マスクユニットにおける上記蒸着マスクと、上記基板とは、密着されていることを特徴とする請求項７に記載の蒸着膜の形成方法。
【請求項９】
基板上に複数のアクティブ素子を形成する工程と、
上記各々のアクティブ素子に電気的に接続され、かつ、上記基板上の表示領域にマトリクス状に第１の電極を形成する工程と、
上記第１の電極上に、少なくとも発光層を含む有機層を形成する工程と、
少なくとも上記有機層上に、上記第１の電極とは逆の極性を有する第２の電極を形成する工程と、を有する表示装置の製造方法であって、
上記有機層中、少なくとも上記発光層を形成する工程においては、
上記表示領域には、剥離可能なパターン膜の開口部が形成され、
上記表示領域の周辺領域である非表示領域の少なくとも一部には、上記パターン膜が形成され、
上記開口部および上記パターン膜上に、上記マトリクス状に形成された第１の電極の行方向または、列方向に沿って、互いに所定間隔を有する複数の直線状の少なくとも上記発光層が形成され、
上記有機層中、少なくとも上記発光層を形成する工程の後または、上記第２の電極を形成する工程の後に、
上記パターン膜を剥離することによって、少なくとも上記発光層を所定形状に形成することを特徴とする表示装置の製造方法。
【請求項１０】
上記パターン膜をマスクとして、上記有機層中、上記発光層以外の層および金属層を含む無機層における少なくとも一つ以上の層を形成する工程が含まれていることを特徴とする請求項９に記載の表示装置の製造方法。
【請求項１１】
貫通孔を有するマスクを用いて、上記有機層中、上記発光層以外の層および金属層を含む無機層における少なくとも一つ以上の層を形成する工程が含まれていることを特徴とする請求項９に記載の表示装置の製造方法。
【請求項１２】
上記パターン膜の剥離は、上記第２の電極を形成する工程の後に行われ、
上記第２の電極を形成する工程においては、上記パターン膜をマスクとして、上記第２の電極が形成されることを特徴とする請求項１０に記載の表示装置の製造方法。
【請求項１３】
上記第２の電極を形成する工程においては、貫通孔を有するマスクを用いて、上記第２の電極が形成されることを特徴とする請求項１１に記載の表示装置の製造方法。
【請求項１４】
上記第１の電極と、上記有機層と、上記第２の電極と、を封止部材で封止する工程を有し、
上記パターン膜を剥離する工程は、上記封止部材で封止する工程の後に行われることを特徴とする請求項９から１３の何れか１項に記載の表示装置の製造方法。
【請求項１５】
上記パターン膜をマスクとして、上記第１の電極と、上記有機層と、上記第２の電極と、を封止する封止膜を形成する工程を有し、
上記封止膜を形成する工程は、上記パターン膜を剥離する前に行われ、
上記パターン膜を剥離した後には、上記第１の電極と、上記有機層と、上記第２の電極と、上記封止膜と、を封止部材で封止する工程を行うことを特徴とする請求項９から１３の何れか１項に記載の表示装置の製造方法。
【請求項１６】
上記パターン膜は、感光性材料を露光および現像して形成されていることを特徴とする請求項９から１５の何れか１項に記載の表示装置の製造方法。
【請求項１７】
上記パターン膜が、感光性材料を露光および現像して形成されるフィルム状で剥離可能なドライフィルムである場合には、
上記第１の電極と、上記有機層と、上記第２の電極と、を封止部材で封止する工程の前に、上記パターン膜を剥離することを特徴とする請求項９から１３の何れか１項に記載の表示装置の製造方法。
【請求項１８】
上記パターン膜は、上記パターン膜を形成する工程の後工程において、分解物が生じない耐熱性材料で形成されていることを特徴とする請求項９から１７の何れか１項に記載の表示装置の製造方法。
【請求項１９】
上記第１の電極と、上記有機層と、上記第２の電極と、を封止部材で封止する工程の前に、上記表示領域の一部に、上記封止部材を支える凸部を形成する工程を有することを特徴とする請求項９から１８の何れか１項に記載の表示装置の製造方法。
【請求項２０】
上記凸部上には、上記第２の電極が備えられていることを特徴とする請求項１９に記載の表示装置の製造方法。
【請求項２１】
上記凸部を形成する工程は、上記パターン膜を形成する工程と同一工程であることを特徴とする請求項１９または２０に記載の表示装置の製造方法。
【請求項２２】
上記パターン膜を形成する工程は、上記第１の電極の端部を覆うように形成されているエッジカバーを形成する工程と同一工程であることを特徴とする請求項９から２１の何れか１項に記載の表示装置の製造方法。
【請求項２３】
上記開口部および上記パターン膜上に、上記マトリクス状に形成された第１の電極の行方向または、列方向に沿って、互いに所定間隔を有する複数の直線状の少なくとも上記発光層を形成する際には、
貫通孔を有するとともに、上記基板よりも面積が小さい蒸着マスクと、蒸着材料供給源から供給された蒸着粒子を上記蒸着マスクを介して、上記基板における上記パターン膜が形成された面に射出する射出口と、を備え、かつ、上記蒸着マスクと上記射出口との相対的な位置が固定されたマスクユニットにおける上記蒸着マスクは、上記基板とは、一定距離で維持されており、
上記マスクユニットおよび上記基板の少なくとも何れかの一方は、他方に対して、走査され、少なくとも上記発光層が形成されることを特徴とする請求項９から２２の何れか１項に記載の表示装置の製造方法。
【請求項２４】
上記マスクユニットにおける上記蒸着マスクと、上記基板とは、密着されていることを特徴とする請求項２３に記載の表示装置の製造方法。
【請求項２５】
上記表示領域の周辺領域である非表示領域において、上記封止部材が形成される領域にも上記パターン膜が形成されていることを特徴とする請求項１５または１７に記載の表示装置の製造方法。
【発明の詳細な説明】
【技術分野】
【０００１】
本発明は、所定形状にパターニングされた蒸着膜の形成方法および上記所定形状にパターニングされた蒸着膜を備えた表示装置の製造方法に関するものである。
【背景技術】
【０００２】
近年、様々な商品や分野でフラットパネルディスプレイが活用されており、フラットパネルディスプレイのさらなる大型化、高画質化、低消費電力化が求められている。【０００３】
そのような状況下において、有機材料の電界発光（Ｅｌｅｃｔｒｏｌｕｍｉｎｅｓｃｅｎｃｅ；以下、「ＥＬ」と記す）を利用した有機ＥＬ素子を備えた有機ＥＬ表示装置は、全固体型で、低電圧駆動、高速応答性、自発光性、広視野角特性等の点で優れたフラットパネルディスプレイとして、高い注目を浴びている。【０００４】
有機ＥＬ表示装置は、例えば、ＴＦＴ（薄膜トランジスタ）が設けられたガラス基板等からなる基板上に、ＴＦＴに電気的に接続された有機ＥＬ素子が設けられた構成を有している。【０００５】
例えば、フルカラーの有機ＥＬ表示装置では、一般的に、赤（Ｒ）、緑（Ｇ）、青（Ｂ）の各色の発光層を備えた有機ＥＬ素子がサブ画素として基板上に配列形成され、ＴＦＴを用いて、これら有機ＥＬ素子を選択的に所望の輝度で発光させることによりカラー画像表示を行うようになっている。【０００６】
したがって、有機ＥＬ表示装置を製造するためには、各色に発光する有機発光材料からなる発光層を有機ＥＬ素子毎に所定パターンで形成する必要がある。【０００７】
このような発光層を所定パターンで形成する方法としては、例えば、真空蒸着法、インクジェット法、レーザ転写法などが知られている。そして、例えば、低分子型有機ＥＬ表示装置（ＯＬＥＤ）では、真空蒸着法が用いられることが多い。【０００８】
真空蒸着法では、所定パターンの開口が形成されたマスク（シャドウマスクとも称される）が使用され、マスクが密着固定された基板の被蒸着面を蒸着源に対向させる。【０００９】
そして、蒸着源からの蒸着粒子（成膜材料）を、マスクの開口を通して被蒸着面に蒸着させることにより、所定パターンの薄膜が形成される。蒸着は発光層の色毎に行われ、これを「塗り分け蒸着」という。【００１０】
特許文献１および特許文献２には、基板に対してマスクを少しずつ移動させて各色の発光層の塗り分け蒸着を行う方法が記載されている。【００１１】
このような従来の塗り分け蒸着法においては、基板と同等の大きさのマスクが使用され、蒸着時にはマスクは基板の被蒸着面を覆うように固定されるようになっている。【００１２】
したがって、従来の塗り分け蒸着法においては、基板が大きくなればそれに伴ってマスクも大型化する必要がある。【００１３】
しかしながら、マスクを大きくすると、マスクの自重撓みや伸びにより、基板とマスクとの間に隙間が生じ易くなるとともに、その隙間の大きさは、基板の被蒸着面の位置によってそれぞれ異なる。【００１４】
よって、従来の塗り分け蒸着法を用いては、高精度なパターニングを行うのが難しく、蒸着位置のズレや混色が発生してしまうという問題があった。【００１５】
また、従来の塗り分け蒸着法においては、マスクを大きくすると、マスクなどを保持するフレームなども巨大になってしまい、その重量も増加するため、取り扱いが困難になり、生産性や安全性に支障をきたす恐れがある。【００１６】
そして、従来の塗り分け蒸着法においては、蒸着装置やそれに付随する装置も同様に巨大化、複雑化するため、装置設計が困難になり、設置コストも高額になってしまう。【００１７】
以上のように、従来の塗り分け蒸着法では、大型基板へ高精細にパターニングされた蒸着膜を形成するのが困難であり、例えば、６０インチサイズを超えるようなマスクが用いられる大型基板に対しては量産レベルで塗り分け蒸着が実現できていないのが現状である。
【先行技術文献】
【特許文献】
【００１８】
【特許文献１】特開平８−２２７２７６号公報（１９９６年９月３日公開）
【特許文献２】特開２０００−１８８１７９号公報（２０００年７月４日公開）
【発明の概要】
【発明が解決しようとする課題】
【００１９】
そこで、図１３および図１４に図示されているように、基板１０１よりも小さなシャドウマスク１０２を用いる塗り分け蒸着法が提案されている。【００２０】
この塗り分け蒸着法においては、開口部１０２ａを有するシャドウマスク１０２と、ノズル開口部１０３ａ（射出口）を有するノズル１０３と、ノズル１０３に接続された蒸着材料供給源１０４とが、一体化されたマスクユニット１０５を用いるようになっている。【００２１】
そして、図１３に図示されているように、基板１０１の被蒸着面１０１ａとシャドウマスク１０２とを対向配置させるとともに、被蒸着面１０１ａとシャドウマスク１０２との隙間Ｇを一定に保ちながら、固定されているマスクユニット１０５に対して、基板１０１を図中の左右方向に走査しながら蒸着することで、基板１０１の被蒸着面１０１ａに、ストライプ状のパターンを有する蒸着膜を形成することができる。【００２２】
一方、上記塗り分け蒸着法においては、図１４に図示されているように、基板１０１を固定させ、固定されている基板１０１に対して、マスクユニット１０５を図中の左右方向に走査しながら蒸着することで、基板１０１の被蒸着面１０１ａに、ストライプ状のパターンを有する蒸着膜を形成することもできる。【００２３】
このような走査方式の塗り分け蒸着法においては、従来の塗り分け蒸着法のように基板と同等の大きさのマスクを用いる必要がないので、マスクサイズが大きくなることによって生じ得る上述したような問題は改善することができる。【００２４】
しかしながら、このような基板１０１よりも小さなシャドウマスク１０２を用いる走査方式の塗り分け蒸着法においては、以下のような問題が新たに生じる。【００２５】
図１５は、基板１０１の被蒸着面１０１ａを示す図であり、大型の基板１０１には、各有機ＥＬ表示装置において、蒸着膜（例えば、発光層など）の形成が必要となる蒸着領域Ｒ１と、蒸着膜（例えば、発光層など）の形成が必要でない端子部などとなる蒸着不要領域Ｒ２と、がそれぞれ存在する。【００２６】
本来であれば、蒸着不要領域Ｒ２には、蒸着膜（例えば、発光層など）を形成する必要はないが、図１３および図１４に図示した走査方式の塗り分け蒸着法においては、図１５に図示されているように、蒸着領域Ｒ１のみでなく、蒸着不要領域Ｒ２にもストライプ状のパターンを有する蒸着膜１０６が形成されることとなる。【００２７】
以下、図１６に基づいて、ストライプ状のパターンを有する蒸着膜１０６が蒸着不要領域Ｒ２にも形成されてしまう理由について説明する。【００２８】
図１６に図示されているように、走査方式の塗り分け蒸着法において、蒸着不要領域Ｒ２に蒸着膜１０６が形成されないようにするためには、シャドウマスク１０２が、蒸着ＯＦＦライン、すなわち、シャドウマスク１０２の右先端が蒸着不要領域Ｒ２の左先端に達した際に、マスクユニットに備えられたノズルのノズル開口部から射出される蒸着粒子を射出されないようにすることが考えられる。【００２９】
しかし、このようにすると、蒸着不要領域Ｒ２に蒸着膜１０６が形成されないようにすることはできるが、蒸着領域Ｒ１において、シャドウマスク１０２が未だ残っている領域は、実質的に蒸着時間が短くなり、蒸着膜の膜厚が低下する蒸着量減少領域となってしまう。【００３０】
したがって、このような走査方式の塗り分け蒸着法においては、蒸着領域Ｒ１に均一な膜厚を有する蒸着膜１０６を形成するためには、図１５に図示されているように、仕方なく、蒸着領域Ｒ１のみでなく、蒸着不要領域Ｒ２にもストライプ状のパターンを有する蒸着膜１０６を形成していた。【００３１】
図１７は、蒸着不要領域Ｒ２に形成された蒸着膜１０６によって、生じ得る問題点を説明するための図である。【００３２】
図１７の（ａ）は、発光層として、走査方式の塗り分け蒸着法で形成した蒸着膜１０６を備えた有機ＥＬ表示装置１１３の概略構成を示す図である。【００３３】
図１７の（ｂ）は、有機ＥＬ表示装置１１３の端子部１０７ａを示す平面図である。【００３４】
図１７の（ａ）に図示されている有機ＥＬ表示装置１１３に備えられた基板１０１においては、蒸着領域Ｒ１のみでなく、蒸着不要領域Ｒ２にもストライプ状のパターンを有する蒸着膜１０６が形成されている。【００３５】
すなわち、図１７の（ｂ）に図示されているように、蒸着不要領域Ｒ２である配線１０７の端子部１０７ａにも蒸着膜１０６が形成されている。【００３６】
そして、外部回路と、蒸着不要領域Ｒ２に形成されている配線１０７の端子部１０７ａとは、異方性導電膜（ＡＣＦ：Ａｎｉｓｏｔｒｏｐｉｃ  Ｃｏｎｄｕｃｔｉｖｅ  Ｆｉｌｍ）１１１を介して、フレキシブルケーブル１１２に電気的に接続されることとなるが、図１７の（ａ）に図示されているように、端子部１０７ａ上に蒸着膜１０６が形成されていると、電気的導通不良または電流リークを引き起こす原因となる。【００３７】
すなわち、蒸着膜１０６が、発光層などの有機蒸着膜のように高抵抗の膜である場合には、電気的導通不良となり、一方、蒸着膜１０６が金属膜のように低抵抗の膜である場合には、電流リークが生じることとなる。【００３８】
また、蒸着領域Ｒ１の４辺端部の蒸着不要領域Ｒ２には、封止樹脂１０９が枠状に形成され、封止樹脂１０９を介して、基板１０１と封止基板１１０とは貼り合わせられている。【００３９】
したがって、陽極（未図示）、正孔注入層兼正孔輸送層（未図示）、発光層としての蒸着膜１０６、電子輸送層（未図示）、電子注入層（未図示）、そして陰極１０８が順番に積層されてなる有機ＥＬ素子が大気中の水分や酸素にて劣化しないようにすることができる。【００４０】
基板１０１と封止基板１１０とが貼り合わせられる前に、有機溶剤を用いて、蒸着不要領域Ｒ２における端子部１０７ａ上の蒸着膜１０６を拭き取ることも考えられるが、有機ＥＬ素子が有機溶剤や大気中の水分や酸素にて劣化されてしまうため、端子部１０７ａ上の蒸着膜１０６は、基板１０１と封止基板１１０とが貼り合わせられた後であって、基板１０１が各有機ＥＬ表示装置１１３となるように分断された後に、有機溶剤を用いて拭き取られるのが一般的である。【００４１】
しかしながら、端子部１０７ａ上の蒸着膜１０６を、基板１０１と封止基板１１０とが貼り合わせられた後に、有機溶剤を用いて拭き取る場合には、以下のような問題が生じる。【００４２】
上記拭き取り工程においては、拭き取りが不十分で残渣が残りやすいとともに、拭き取りの際に新たな上乗り異物が生じやすいので、外部回路との接続不良が生じやすくなってしまうという問題がある。【００４３】
また、基板１０１と封止基板１１０との貼り合わせを、封止樹脂１０９を介して、行っている場合、有機溶剤が封止樹脂１０９に損傷を与え、封止樹脂１０９において、上記有機溶剤によって損傷を受けた箇所からは、大気中の水分や酸素が浸透しやすくなってしまうという問題もある。【００４４】
したがって、例えば、このような拭き取り工程を含む製造方法によって製造された有機ＥＬ表示装置は、歩留まりが低く、信頼性を確保するのも困難であった。【００４５】
本発明は、上記の問題点に鑑みてなされたものであり、高精細なパターニングが可能な蒸着膜の形成方法と、歩留まりや信頼性の向上された表示装置の製造方法を提供することを目的とする。
【課題を解決するための手段】
【００４６】
本発明の蒸着膜の形成方法は、上記の課題を解決するために、基板に所定形状の蒸着膜を形成する蒸着膜の形成方法であって、上記基板において上記蒸着膜が形成される面に、開口部を有するとともに剥離可能な所定形状のパターン膜を形成する工程と、上記開口部および上記パターン膜上に、上記基板面上のある一つの方向に沿って、互いに所定間隔を有する複数の直線状の上記蒸着膜を形成する工程と、上記パターン膜を剥離することによって、上記蒸着膜を所定形状に形成する工程と、を有することを特徴としている。【００４７】
上記方法によれば、上記基板において上記蒸着膜が形成される面に、開口部を有するとともに剥離可能な所定形状のパターン膜を形成した後に、上記開口部および上記パターン膜上に、比較的容易に高精細な蒸着膜を形成できるパターン形状である、互いに所定間隔を有する複数の直線状の上記蒸着膜を形成し、上記パターン膜を剥離することによって、上記直線状の蒸着膜を所定形状の高精細なパターンとして形成できる。【００４８】
したがって、上記方法によれば、高精細なパターニングが可能となる。【００４９】
本発明の表示装置の製造方法は、上記の課題を解決するために、基板上に複数のアクティブ素子を形成する工程と、上記各々のアクティブ素子に電気的に接続され、かつ、上記基板上の表示領域にマトリクス状に第１の電極を形成する工程と、上記第１の電極上に、少なくとも発光層を含む有機層を形成する工程と、少なくとも上記有機層上に、上記第１の電極とは逆の極性を有する第２の電極を形成する工程と、を有する表示装置の製造方法であって、上記有機層中、少なくとも上記発光層を形成する工程においては、上記表示領域には、剥離可能なパターン膜の開口部が形成され、上記表示領域の周辺領域である非表示領域の少なくとも一部には、上記パターン膜が形成され、上記開口部および上記パターン膜上に、上記マトリクス状に形成された第１の電極の行方向または、列方向に沿って、互いに所定間隔を有する複数の直線状の少なくとも上記発光層が形成され、上記有機層中、少なくとも上記発光層を形成する工程の後または、上記第２の電極を形成する工程の後に、上記パターン膜を剥離することによって、少なくとも上記発光層を所定形状に形成することを特徴としている。【００５０】
上記方法によれば、歩留まりや信頼性の向上された表示装置の製造方法を実現することができる。
【発明の効果】
【００５１】
本発明の蒸着膜の形成方法は、以上のように、上記基板において上記蒸着膜が形成される面に、開口部を有するとともに剥離可能な所定形状のパターン膜を形成する工程と、上記開口部および上記パターン膜上に、上記基板面上のある一つの方向に沿って、互いに所定間隔を有する複数の直線状の上記蒸着膜を形成する工程と、上記パターン膜を剥離することによって、上記蒸着膜を所定形状に形成する工程と、を有する方法である。【００５２】
また、本発明の表示装置の製造方法は、以上のように、上記有機層中、少なくとも上記発光層を形成する工程においては、上記表示領域には、剥離可能なパターン膜の開口部が形成され、上記表示領域の周辺領域である非表示領域の少なくとも一部には、上記パターン膜が形成され、上記開口部および上記パターン膜上に、上記マトリクス状に形成された第１の電極の行方向または、列方向に沿って、互いに所定間隔を有する複数の直線状の少なくとも上記発光層が形成され、上記有機層中、少なくとも上記発光層を形成する工程の後または、上記第２の電極を形成する工程の後に、上記パターン膜を剥離することによって、少なくとも上記発光層を所定形状に形成する方法である。【００５３】
それゆえ、高精細なパターニングが可能な蒸着膜の形成方法と、歩留まりや信頼性の向上された表示装置の製造方法を実現できる。
【図面の簡単な説明】
【００５４】
【図１】本発明の一実施の形態の有機ＥＬ表示装置の製造方法において、基板上にフォトレジストをパターニング形成した様子を示す図である。
【図２】本発明の一実施の形態の有機ＥＬ表示装置の製造方法において、フォトレジストが剥離された後の基板を示す図である。
【図３】本発明の一実施の形態の有機ＥＬ表示装置の製造方法の各工程を示す図である。
【図４】従来の走査方式の塗り分け蒸着法を用いた有機ＥＬ表示装置の概略的な製造工程を示す図である。
【図５】本発明の一実施の形態の有機ＥＬ表示装置の製造方法において、用いることができるフォトレジストのパターン形状の一例を示す図である。
【図６】本発明の他の一実施の形態の有機ＥＬ表示装置の製造方法において、基板に形成されたフォトレジストのパターン形状と発光層とを示す図である。
【図７】本発明の他の一実施の形態の有機ＥＬ表示装置の製造方法において、フォトレジストを剥離する工程と、封止領域の封止工程までを行った後の基板を示す図である。
【図８】本発明の他の一実施の形態の有機ＥＬ表示装置の製造方法の各工程を示す図である。
【図９】本発明のさらに他の一実施の形態の有機ＥＬ表示装置の製造方法において、基板に形成された感光性のドライフィルムのパターン形状と発光層とを示す図である。
【図１０】本発明のさらに他の一実施の形態の有機ＥＬ表示装置の製造方法において、感光性のドライフィルムを剥離する工程と、第２の電極の蒸着および封止領域の封止工程までを行った後の基板を示す図である。
【図１１】本発明のさらに他の一実施の形態の有機ＥＬ表示装置の製造方法の各工程を示す図である。
【図１２】本発明の一実施の形態の有機ＥＬ表示装置の製造方法によって製造された有機ＥＬ表示装置の概略構成を示す図である。
【図１３】本発明の一実施の形態の有機ＥＬ表示装置の製造方法に用いることができる蒸着装置の一例を示す図である。
【図１４】本発明の一実施の形態の有機ＥＬ表示装置の製造方法に用いることができる蒸着装置の一例を示す図である。
【図１５】図１３または図１４に示す蒸着装置によって、基板に形成された蒸着膜の様子を示す図である。
【図１６】ストライプ状のパターンを有する蒸着膜が蒸着不要領域にも形成されてしまう理由について説明するための図である。
【図１７】蒸着不要領域に形成された蒸着膜によって、生じ得る問題点を説明するための図である。
【図１８】本発明の一実施の形態の有機ＥＬ表示装置の製造方法において、正孔注入層、正孔輸送層、電子輸送層および電子注入層をシャドウマスクを用いずに、フォトレジストをマスクとし、第２の電極と同一形状に形成した場合における、第２の電極と外部配線とを電気的に接続する方法の一例を示す図である。
【発明を実施するための形態】
【００５５】
以下、図面に基づいて本発明の実施の形態について詳しく説明する。ただし、この実施の形態に記載されている構成部品の寸法、材質、形状、その相対配置などはあくまで一実施形態に過ぎず、これらによってこの発明の範囲が限定解釈されるべきではない。
【００５６】
なお、以下の実施の形態においては、高精細なパターニングが可能な蒸着膜の形成方法が用いられる一例として、有機ＥＬ表示装置の製造方法を挙げて説明するが、これに限定されることはなく、本発明の蒸着膜の形成方法は、高精細にパターニングされた蒸着膜が要求されるあらゆる分野に適用することができる。
【００５７】
また、以下の実施の形態においては、有機ＥＬ表示装置の製造方法を一例に挙げて説明しているため、本発明の蒸着膜の形成方法を用いて形成される蒸着膜は、有機膜の場合となっているが、これに限定されることはなく、本発明の蒸着膜の形成方法は、無機膜の形成にも用いることができるのは勿論である。
【００５８】
〔実施の形態１〕
図１２は、有機ＥＬ表示装置１の概略構成を示す図であり、図１２の（ａ）は、有機ＥＬ表示装置１の表示領域を構成する有機ＥＬ素子１０の断面を示したものである。
【００５９】
薄膜トランジスタ２（以下、「ＴＦＴ」と記す）が形成された基板３上に、層間絶縁膜４、第１の電極５およびエッジカバー６が形成されている。
【００６０】
基板３としては、例えば、無アルカリガラスやプラスチックなどを用いることができるが、本実施の形態においては、板厚０．７ｍｍの無アルカリガラスを使用した。
【００６１】
そして、層間絶縁膜４およびエッジカバー６としては、既知の感光性樹脂を用いることができ、上記感光性樹脂としては、例えば、アクリル樹脂やポリイミド樹脂などが挙げられる。
【００６２】
なお、本実施の形態においては、層間絶縁膜４およびエッジカバー６として、感光性アクリル樹脂を用いた。
【００６３】
また、第１の電極５は、電極材料をスパッタ法などで形成した後、フォトリソグラフィ技術およびエッチングにより個々の画素に対応してパターン形成されている。
【００６４】
第１の電極５としては、様々な導電性材料を用いることができるが、基板側に光を放射するボトムエミッション型有機ＥＬ素子の場合、透明または半透明の必要がある。一方、基板とは反対側から光を放射するトップエミッション型有機ＥＬ素子の場合には、第２の電極９が透明または半透明の必要がある。
【００６５】
また、ＴＦＴ２は既知の方法にて作製され、本実施の形態においては、ＴＦＴ２を各画素に形成したアクティブマトリックス型の有機ＥＬ表示装置の製造について述べるが、これに限らずＴＦＴ２のないパッシブマトリックス型の有機ＥＬ表示装置についても、本発明は適用可能である。
【００６６】
エッジカバー６は、第１の電極５の端部で有機ＥＬ層が薄くなり、第２の電極９との間で短絡するのを防止するために、第１の電極５の端部を覆うように形成されており、エッジカバー６のない部分で第１の電極５が露出している。この露出部分が各画素の発光部となる。
【００６７】
図示されているように、第１の電極５上に各有機ＥＬ層を形成する。有機ＥＬ層としては、例えば、正孔注入層および正孔輸送層７、発光層８Ｒ・８Ｇ・８Ｂ、図示してないが、第２の電極９と同形状に形成される電子輸送層および電子注入層などが挙げられる。
【００６８】
そして、図示してないが、必要に応じて正孔、電子といったキャリアの流れをせき止めるキャリアブロッキング層が挿入されていてもよい。
【００６９】
また、一つの層が複数の機能を有していてもよく、例えば、正孔注入層および正孔輸送層７のように、正孔注入層と正孔輸送層とを兼ねた一つの層を形成してもよい。
【００７０】
本実施の形態においては、第１の電極５を陽極とし、第１の電極５側より正孔注入層および正孔輸送層７、発光層８Ｒ・８Ｇ・８Ｂ、電子輸送層（未図示）、電子注入層（未図示）、そして第２の電極９を陰極とした順番で積層した。
【００７１】
なお、第１の電極５を陰極とする場合には、上記積層順は反転する。
【００７２】
また、本実施の形態においては、ボトムエミッション型有機ＥＬ素子とするため、第１の電極５として、ＩＴＯ（インジウム−スズ酸化物）を用いた。
【００７３】
そして、有機ＥＬ層の各材料としては、既知の材料を用いることができ、発光層８Ｒ・８Ｇ・８Ｂとしては単一材料を用いたもの、あるいはある材料をホスト材料とし、他の材料をゲスト材料またはドーパントとして混ぜ込んだ混合型が用いられる。
【００７４】
以下、各有機ＥＬ層の材料として用いることができる具体例を示す。
【００７５】
正孔注入層および正孔輸送層７の材料としては、例えば、アントラセン、アザトリフェニレン、フルオレノン、ヒドラゾン、スチルベン、トリフェニレン、ベンジン、スチリルアミン、トリフェニルアミン、ポルフィリン、トリアゾール、イミダゾール、オキサジアゾール、オキザゾール、ポリアリールアルカン、フェニレンジアミン、アリールアミン、およびこれらの誘導体、チオフェン系化合物、ポリシラン系化合物、ビニルカルバゾール系化合物、アニリン系化合物などの複素環式共役系のモノマー、オリゴマー、またはポリマーなどを用いることができる。
【００７６】
そして、発光層８Ｒ・８Ｇ・８Ｂの材料としては、低分子蛍光色素、金属錯体などの発光効率が高い材料が用いられる。例えば、アントラセン、ナフタレン、インデン、フェナントレン、ピレン、ナフタセン、トリフェニレン、ペリレン、ピセン、フルオランテン、アセフェナントリレン、ペンタフェン、ペンタセン、コロネン、ブタジエン、クマリン、アクリジン、スチルベン、およびこれらの誘導体、トリス（８−キノリノラト）アルミニウム錯体、ビス（ベンゾキノリノラト）ベリリウム錯体、トリ（ジベンゾイルメチル）フェナントロリンユーロピウム錯体、ジトルイルビニルビフェニル、ヒドロキシフェニルオキサゾール、ヒドロキシフェニルチアゾールなどが挙げられる。
【００７７】
電子輸送層や電子注入層の材料としては、例えば、トリス（８−キノリノラト）アルミニウム錯体、オキサジアゾール誘導体、トリアゾール誘導体、フェニルキノキサリン誘導体、シロール誘導体などを用いることができる。
【００７８】
そして、図１２の（ｂ）は、第１の電極５、正孔注入層および正孔輸送層７、発光層８Ｒ・８Ｇ・８Ｂ、電子輸送層、電子注入層、第２の電極９を備えた有機ＥＬ素子１０が、封止されている様子を示す図である。
【００７９】
図示されているように、有機ＥＬ素子１０が大気中の水分や酸素にて劣化しないように、複数の有機ＥＬ素子１０が設けられた有機ＥＬ表示装置１の表示領域の４辺端部には、封止樹脂１１が枠状に形成され、封止樹脂１１を介して、基板３と封止基板１２とが貼り合わせられている。
【００８０】
なお、本実施の形態においては、封止基板１２として、ガラス基板を用いており、接着性を有する枠状の封止樹脂１１を介して、基板３と封止基板１２とを貼り合わせることによって、有機ＥＬ素子１０の封止を行っているが、有機ＥＬ素子１０の封止方法はこれに限定されることはなく、例えば、有機ＥＬ素子１０の上面には、水分や酸素の透過しにくい緻密な封止膜をＣＶＤ法などで形成し、有機ＥＬ素子１０の側面には、全面に接着剤を塗布して封止基板と貼り合わせたり、あるいはフリットガラス（粉末ガラス）を枠状に形成したりして、有機ＥＬ素子１０の封止を行ってもよい。
【００８１】
さらには、必要に応じて上記封止方法を併用してもよい。
【００８２】
図３は、有機ＥＬ表示装置１の概略的な製造工程を示す図である。
【００８３】
先ず、既知の方法で、ＴＦＴおよび上記ＴＦＴと電気的に接続された第１の電極を備えた基板３を作製する（Ｓ１）。
【００８４】
そして、基板３上において端子部などが形成されている蒸着不要領域Ｒ２を覆うように、フォトレジスト１３を形成する（Ｓ２）。
【００８５】
図１は、基板３上にフォトレジスト１３をパターニング形成した様子を示す図である。
【００８６】
図示されているように、フォトレジスト１３は、枠状に形成される封止樹脂１１の内側には、形成されず、枠状に形成される封止樹脂１１の外側のみに形成されている。
【００８７】
すなわち、基板３上の各有機ＥＬパネルの封止領域外のみにフォトレジスト１３が形成され、表示領域Ｒ１（発光領域）および封止領域内には、フォトレジスト１３が形成されないようにしてある。
【００８８】
本実施の形態においては、後工程において剥離可能なパターン膜としてポジ型のフォトレジスト１３を用いており、塗布工程、プリベーク工程、露光工程、現像工程およびポストベーク工程を行い、図１に示す形状にフォトレジスト１３をパターニングした。
【００８９】
フォトレジスト１３は、汎用のものを用いることができるが、吸水量が少なく、真空中での脱ガスが少ないものを用いることが好ましい。
【００９０】
吸水量が多いと、有機ＥＬ素子の作製工程中に、フォトレジスト１３から脱離した水分が有機ＥＬ素子を構成する膜に損傷を与えてしまう恐れがある。
【００９１】
また、真空中での脱ガス量が多い場合においても、同様に、有機ＥＬ素子の作製工程中に、フォトレジスト１３から脱離したガスが有機ＥＬ素子を構成する膜に損傷を与えてしまう恐れがある。
【００９２】
したがって、フォトレジスト１３は、後工程において、水分や分解物が生じない低吸収性の材料や耐熱性材料で形成されていることが好ましい。
【００９３】
なお、上記耐熱性材料としては、有機無機ハイブリット系の材料を例に挙げることができるがこれに限定されることはない。
【００９４】
また、有機ＥＬ素子の作製工程においては、第１の電極の表面を洗浄する目的として、一般的に、少なくとも発光層を含む有機層を形成する前に第１の電極表面をプラズマ処理やＵＶ処理を行う。
【００９５】
したがって、これらの処理において、フォトレジスト１３が劣化し、発生した分解物が有機ＥＬ素子に影響を与えないように、これらの処理に対して、高耐性を有するフォトレジスト１３を用いることが好ましい。
【００９６】
そして、基板３の上のフォトレジスト１３上に所定形状の開口部を有するシャドウマスクを密着固定させ、正孔注入層および正孔輸送層を従来の真空蒸着法により全面に形成する（Ｓ３）。
【００９７】
本実施の形態においては、シャドウマスクを用いて、正孔注入層および正孔輸送層を形成しているが、フォトレジスト１３も併用して、正孔注入層および正孔輸送層を形成することもできる。
【００９８】
すなわち、図１において、第２の電極接続部Ｒ３はフォトレジスト１３の開口部となっているため、フォトレジスト１３のみをマスクとして正孔注入層および正孔輸送層を形成すると、第２の電極接続部Ｒ３上にも正孔注入層および正孔輸送層が形成される。その場合、第２の電極接続部Ｒ３と第２の電極との間に有機膜が介在してしまうため、接触不良を起こす恐れがある。
【００９９】
したがって、第２の電極接続部Ｒ３の部分を遮蔽するシャドウマスクを用い、その他の部分はフォトレジスト１３をマスクとすることで、所定の形状の正孔注入層および正孔輸送層を形成できる。
【０１００】
なお、正孔注入層および正孔輸送層は複数の有機ＥＬ素子全面に一括して蒸着すればよいため、高精度なパターニングを行う必要がなく、表示領域Ｒ１が全面的に開口しているオープンマスクを用いればよい。オープンマスクであれば、マスクを保持するフレームをあまり大きくせず、重量が大きくならないので、大型基板への蒸着にも適用できる。
【０１０１】
次に、図１３に図示されているような基板１０１よりも小さなシャドウマスク１０２を用いるとともに、開口部１０２ａを有するシャドウマスク１０２と、ノズル開口部（射出口）１０３ａを有するノズル１０３と、ノズル１０３に接続された蒸着材料供給源１０４とが、一体化されたマスクユニット１０５に対して、基板１０１を図中の左右方向に走査しながら蒸着を行い、図１に図示されているように、図中の左右方向に伸びるストライプ状のパターンを有する発光層８Ｒ・８Ｇ・８Ｂを形成した（Ｓ４）。
【０１０２】
なお、本実施の形態においては、マスクユニット１０５に対して、基板１０１を走査する場合について説明しているが、これに限定されることはなく、図１４のように基板１０１に対して、マスクユニット１０５が走査されてもよく、さらには、基板１０１とマスクユニット１０５とがそれぞれ反対方向に走査されてもよい。
【０１０３】
本実施の形態においては、各色Ｒ・Ｇ・Ｂのサブ画素に対応する部分のみ開口している各色用のシャドウマスク１０２の長手方向の長さは、図１に示す表示領域Ｒ１の上下方向の長さに設定されており、図１の上端の表示領域Ｒ１に発光層８Ｒ・８Ｇ・８Ｂを形成する際には、基板３は、マスクユニット１０５に対して、図中右方向に走査され、そして、図１の下端の表示領域Ｒ１に発光層８Ｒ・８Ｇ・８Ｂを形成する際には、基板３は、マスクユニット１０５に対して、図中上方向に移動され、アライメント調整された後に、図中左方向に走査されることとなる。
【０１０４】
なお、シャドウマスク１０２の形状は、これに限定されず、シャドウマスク１０２の自重撓みや伸びが生じない程度であれば、適宜設定することができる。また、図１の上端と下端の表示領域Ｒ１に対して、一括して蒸着することもできる。
【０１０５】
そして、発光層８Ｒの蒸着の際には、蒸着材料供給源１０４よりＲ（赤）の蒸着粒子を射出させ、Ｒのサブ画素に対応する部分のみ開口しているシャドウマスク１０２にて上記の走査による蒸着を行うことで、それぞれのＲのサブ画素に発光層８Ｒが形成される。
【０１０６】
発光層８Ｇおよび発光層８Ｂについても同様の方法を用いて、それぞれのサブ画素に対応する部分に発光層を形成した。
【０１０７】
すなわち、本実施の形態においては、走査方式の塗り分け蒸着法によって、発光層８Ｒ・８Ｇ・８Ｂが形成されている。
【０１０８】
したがって、図１に図示されているように、フォトレジスト１３が形成されてない表示領域Ｒ１（発光領域）および封止領域内においては、正孔注入層および正孔輸送層上にストライプ状のパターンを有する発光層８Ｒ・８Ｇ・８Ｂが形成され、一方、フォトレジスト１３が形成されている蒸着不要領域Ｒ２においては、フォトレジスト１３上に形成された正孔注入層および正孔輸送層上にストライプ状のパターンを有する発光層８Ｒ・８Ｇ・８Ｂが形成されることとなる。
【０１０９】
本実施の形態においては、図１３のように、マスクユニット１０５に対して、基板１０１を走査し蒸着を行ったが、図１４のように、基板１０１に対して、マスクユニット１０５を走査し蒸着を行ってもよい。
【０１１０】
また、本実施の形態においては、図１３のように、基板１０１の被蒸着面１０１ａとシャドウマスク１０２との隙間Ｇを所定間隔あけて、基板１０１の被蒸着面１０１ａに、ストライプ状のパターンを有する発光層８Ｒ・８Ｇ・８Ｂを形成したが、基板１０１の被蒸着面１０１ａとシャドウマスク１０２とが密着された状態でストライプ状のパターンを有する発光層８Ｒ・８Ｇ・８Ｂを形成することもできる。
【０１１１】
そして、本実施の形態においては、ストライプ状のパターンを有する発光層８Ｒ・８Ｇ・８Ｂを形成するため、図１３に示すような蒸着装置を用いたが、膜厚が均一で、精細なストライプ状のパターンを形成できるのであれば、用いる蒸着装置の種類には、特に限定されない。
【０１１２】
その後、基板３の上のフォトレジスト１３上に所定形状の開口部を有するシャドウマスクを密着固定させ、電子輸送層、電子注入層を従来の真空蒸着法により順次全面に形成する（Ｓ５、Ｓ６）。
【０１１３】
その後、基板３の上のフォトレジスト１３をマスクとして、第２の電極を従来の真空蒸着法により順次全面に形成する（Ｓ７）。
【０１１４】
そして、図１に図示されているように、表示領域Ｒ１を含む封止領域内およびフォトレジスト１３が形成されている領域の全面に形成される上記第２の電極において、表示領域Ｒ１の上下端部分に形成される基板３上に形成された第２の電極の接続部Ｒ３によって基板３上の配線と電気的に接続される。
【０１１５】
本実施の形態においては、シャドウマスクを用いて、電子輸送層、電子注入層を形成しているが、正孔注入層および正孔輸送層の形成の際に述べたように、フォトレジスト１３もマスクの一部として併用することができる。
【０１１６】
以上のように、蒸着が完了した基板３に対して、第１の電極、正孔注入層および正孔輸送層、発光層８Ｒ・８Ｇ・８Ｂ、電子輸送層、電子注入層、第２の電極を備えた有機ＥＬ素子が大気中の水分や酸素にて劣化しないよう、表示領域Ｒ１を含む封止領域の封止を行う（Ｓ８）。
【０１１７】
図１に図示されているように、表示領域Ｒ１を含む封止領域の４辺端部には、封止樹脂１１が枠状に形成され、封止樹脂１１を介して、基板３と封止基板（未図示）とが貼り合わせられている。
【０１１８】
そして、フォトレジスト１３の剥離を行う（Ｓ９）。フォトレジスト１３を剥離することで、フォトレジスト１３の表面に積層された積層膜（正孔注入層および正孔輸送層、発光層８Ｒ・８Ｇ・８Ｂ、電子輸送層、電子注入層、第２の電極）も共に剥離することができる。
【０１１９】
なお、フォトレジスト１３の剥離方法としては、既存の技術を用いればよい。例えば、水系の剥離液にて剥離するようなフォトレジスト１３を用い、封止された基板３を上記剥離液にて剥離洗浄することによって、フォトレジスト１３を基板３上から剥離することができる。
【０１２０】
図２は、フォトレジスト１３が剥離された後の基板３を示す図である。
【０１２１】
図示されているように、蒸着不要領域Ｒ２には、正孔注入層および正孔輸送層、発光層８Ｒ・８Ｇ・８Ｂ、電子輸送層、電子注入層、第２の電極は積層されておらず、第１の電極が形成されている表示領域Ｒ１を含む封止領域にのみ、正孔注入層および正孔輸送層、発光層８Ｒ・８Ｇ・８Ｂ、電子輸送層、電子注入層、第２の電極が積層されている。
【０１２２】
その後、各有機ＥＬパネル毎に基板３を分断し（Ｓ１０）、蒸着不要領域Ｒ２に形成されている端子部を用いて外部回路（駆動回路）との接続を行い（Ｓ１１）、有機ＥＬ表示装置１を完成させる。
【０１２３】
以上のような工程により、有機ＥＬ表示装置１が作製され、外部に形成された駆動回路から、個々のサブ画素毎に備えられた有機ＥＬ素子に電流を流し発光させることで、所望の表示を行うことができるようになっている。
【０１２４】
以下では、後工程において剥離可能なパターン膜を備えてない、従来の走査方式の塗り分け蒸着法を用いた有機ＥＬ表示装置の製造工程との比較を行いながら、後工程において剥離可能なパターン膜であるフォトレジスト１３を備えることによって生じ得るメリットについて詳しく説明する。
【０１２５】
図４は、後工程において剥離可能なパターン膜を備えてない、従来の走査方式の塗り分け蒸着法を用いた有機ＥＬ表示装置の概略的な製造工程を示す図である。
【０１２６】
図示されているように、先ず、既知の方法で、ＴＦＴおよび上記ＴＦＴと電気的に接続された第１の電極を備えた基板を作製する（Ｓ１０１）。
【０１２７】
そして、フォトレジスト１３が備えられてないため、通常のオープンマスクのみを用いて、基板上に正孔注入層および正孔輸送層を真空蒸着法により全面に形成する（Ｓ１０２）。
【０１２８】
図４に示す従来の走査方式の塗り分け蒸着法を用いた有機ＥＬ表示装置の製造工程においては、フォトレジスト１３が備えられてないため、フォトレジスト１３をマスクとして併用することができず、通常のオープンマスクのみで蒸着する必要が生じる。
【０１２９】
したがって、本発明の有機ＥＬ表示装置１の製造工程においては、蒸着マスク（オープンマスク）の簡略化およびそれに伴う装着時間の削減による装置タクトタイムの向上（生産性の向上）および設備コストの低減を図ることができ、有機ＥＬ表示装置の製造コストの削減を実現できる。
【０１３０】
さらには、図３に示す本発明の有機ＥＬ表示装置１の製造工程においては、フォトレジスト１３をマスクとして併用して用いることができるので、オープンマスクの密着面積の低減により、オープンマスクの接触による基板上パターンの損傷の低減を図れるとともに、フォトレジスト１３が、端子部が形成される蒸着不要領域Ｒ２を覆い、端子部の保護膜としての役割もするため、オープンマスクと端子部との直接的な接触をさけることができるので、上記オープンマスクによる端子部への損傷を防止することができ、有機ＥＬ表示装置の歩留まりの向上を実現できる。
【０１３１】
さらには、フォトレジスト１３が、端子部が形成される蒸着不要領域Ｒ２を覆っているので、端子部などへの異物の上乗りを防止でき、有機ＥＬ表示装置の信頼性を向上させることができる。
【０１３２】
それから、図１３に図示されているような蒸着装置を用いて、本発明の有機ＥＬ表示装置１の製造工程と同様に、ストライプ状のパターンを有する発光層を形成した（Ｓ１０３）。
【０１３３】
しかしながら、図４に示す従来の走査方式の塗り分け蒸着法を用いた有機ＥＬ表示装置の製造工程においては、蒸着不要領域Ｒ２を覆うフォトレジスト１３が設けられてないため、ストライプ状のパターンを有する発光層は、蒸着不要領域Ｒ２にも蒸着されてしまい、結果として端子部上に発光層が直接蒸着されることとなる。
【０１３４】
したがって、詳しくは後述するが、有機溶剤による蒸着不要領域Ｒ２に形成された発光層の拭き取り工程（Ｓ１０９）が別途必要となるため、有機ＥＬ表示装置の生産性および歩留まりの低下を招いてしまう。
【０１３５】
そして、フォトレジスト１３が備えられてないため、通常のオープンマスクのみを用いて、基板上に電子輸送層、電子注入層および第２の電極を従来の真空蒸着法により順次全面に形成する（Ｓ１０４、Ｓ１０５、Ｓ１０６）。
【０１３６】
上記電子輸送層および電子注入層の形成工程においては、フォトレジスト１３が備えられてないため、フォトレジスト１３をマスクとして併用することができず、基板上に正孔注入層および正孔輸送層を真空蒸着法により全面に形成する工程（Ｓ１０２）の箇所で既に説明しているような問題が同様に生じる。
【０１３７】
さらに、第２の電極の形成工程においては、フォトレジスト１３をマスクとして用いることができず、通常のオープンマスクを用いる必要がある。そのため、上記電子輸送層および電子注入層の形成と同様の問題が生じるばかりか、オープンマスクの使用に伴う設備が必要となる。
【０１３８】
その後、図３に示す本発明の有機ＥＬ表示装置１の製造工程と同様に、有機ＥＬ素子の封止工程（Ｓ１０７）および各有機ＥＬパネル毎に基板を分断する工程（Ｓ１０８）を行う。
【０１３９】
それから、有機溶剤による蒸着不要領域Ｒ２に形成された発光層の拭き取り工程（Ｓ１０９）を行う。
【０１４０】
図３に示す本発明の有機ＥＬ表示装置１の製造工程においては、フォトレジスト１３を剥離により容易に除去できるので、このような拭き取り工程は不要となるが、図４に示す従来の走査方式の塗り分け蒸着法を用いた有機ＥＬ表示装置の製造工程においては、この拭き取り工程が必須の工程であり、その工程中に以下のような問題を引き起こす恐れがある。
【０１４１】
先ず、上記拭き取り工程においては、有機溶剤を用いて、蒸着された発光層を直接蒸着不要領域Ｒ２から拭き取らなければならないが、蒸着された発光層を完全に除去することは容易ではなく、残渣が残りやすいという問題が生じる。
【０１４２】
また、上記拭き取り工程においては、新たな上乗り異物が発生しやすく、端子部などが形成された蒸着不要領域Ｒ２に、これらの異物が存在する場合、端子部を外部回路と接続する際に、電気的な不良を引き起こしてしまい、有機ＥＬ表示装置の歩留まりの低下を招いてしまう。
【０１４３】
さらには、封止樹脂などを用いて、封止基板と基板とを貼り合わせているような場合には、上記有機溶剤が封止樹脂に損傷を与え、有機ＥＬ表示装置の信頼性を低下させてしまうという問題もある。
【０１４４】
既に上述した図３に示す本発明の有機ＥＬ表示装置１の製造工程においては、フォトレジスト１３を用いているため、既存のフォトレジストの剥離技術を用いて残渣のないフォトレジストの除去、剥離液による上乗り異物の除去、フォトレジストおよび剥離液の選択の自由性による封止樹脂への損傷の抑制を実現することができるので、上述したようなフォトレジスト１３が備えられてない場合に生じ得る問題を回避することができる。
【０１４５】
その後、拭き取りを行った端子部を用いて外部回路（駆動回路）との接続を行い（Ｓ１１０）、有機ＥＬ表示装置を完成させる。
【０１４６】
以下、図５の（ａ）から（ｄ）に基づいて、本発明の有機ＥＬ表示装置１の製造工程において、用いることができるフォトレジスト１３の他のパターンの一例について説明する。
【０１４７】
図５の（ａ）および図５の（ｂ）は、赤（Ｒ）、緑（Ｇ）、青（Ｂ）の各色の発光層を備えた有機ＥＬ素子を有する３種類のサブ画素が図中の上下方向において隣接するように配置されて、有機ＥＬ表示装置の１画素を形成する場合であって、フォトレジスト１３が蒸着不要領域Ｒ２における発光層８Ｒ・８Ｇ・８Ｂが形成されている領域には、少なくとも形成されている一例を示す図である。
【０１４８】
図示されているように、ストライプ状のパターンを有する発光層８Ｒ・８Ｇ・８Ｂが形成されてない蒸着不要領域Ｒ２に関しては、フォトレジスト１３で覆う必要性は必ずしもないので、フォトレジスト１３を図５の（ａ）のように図中上下方向に伸びるストライプ状や図５の（ｂ）のように島状に形成してもよい。
【０１４９】
図５の（ａ）および図５の（ｂ）に図示されているように、フォトレジスト１３で被覆されていない蒸着不要領域Ｒ２が存在する場合においては、例えば、フォトレジスト１３を発光層８Ｒ・８Ｇ・８Ｂ以外の有機膜の蒸着時にマスクとして用いることができないなど、フォトレジスト１３を図１に示すようなパターンに設けた場合と比較すると、その得られる効果は少なくなるが、ストライプ状のパターンを有する発光層８Ｒ・８Ｇ・８Ｂについては、高精細なパターニングを行うことができる。
【０１５０】
そして、フォトレジスト１３のパターンを図５の（ａ）および図５の（ｂ）のように形成することにより、フォトレジスト１３の使用量を減らすことができるので、材料費の削減を図ることができるとともに、フォトレジスト１３からの脱ガスの量を減らすことができ、有機ＥＬ素子への悪影響もより減らすことができる。
【０１５１】
なお、図５の（ａ）および図５の（ｂ）に示したフォトレジスト１３のパターン形状は、一例であり、基板面内の有機ＥＬパネルの数、その配置、機種およびその大きさなどを考慮して、適宜フォトレジスト１３のパターン形状を決めればよい。
【０１５２】
一方、図５の（ｃ）および図５の（ｄ）は、赤（Ｒ）、緑（Ｇ）、青（Ｂ）の各色の発光層を備えた有機ＥＬ素子を有する３種類のサブ画素が図中の左右方向において隣接するように配置されて、有機ＥＬ表示装置の１画素を形成する場合であって、フォトレジスト１３が蒸着不要領域Ｒ２における発光層８Ｒ・８Ｇ・８Ｂが形成されている領域には、少なくとも形成されている一例を示す図である。
【０１５３】
図示されているように、ストライプ状のパターンを有する発光層８Ｒ・８Ｇ・８Ｂが形成されてない蒸着不要領域Ｒ２に関しては、フォトレジスト１３で覆う必要性は必ずしもないので、フォトレジスト１３を図５の（ｃ）のように図中左右方向に伸びるストライプ状や図５の（ｄ）のように島状に形成してもよい。
【０１５４】
なお、これまでは、フォトレジスト１３を表示領域Ｒ１を含む封止領域内に形成してないが、本実施の形態においては、有機ＥＬ表示装置の特性上問題がなければ、表示領域Ｒ１を含む封止領域内に凸部としてのフォトレジスト１３を形成してもよい。
【０１５５】
具体的には、例えば、表示領域Ｒ１（発光領域）の各画素の間に凸部としてのフォトレジスト１３のパターンを形成することで、封止基板が有機ＥＬ素子に衝突して、有機ＥＬ素子が損傷するのを防止する柱として機能させることができる。
【０１５６】
また、本実施の形態においては、図１３に図示されているように、基板１０１の被蒸着面１０１ａとシャドウマスク１０２との隙間Ｇを一定に保ちながら、固定されているマスクユニット１０５に対して、基板１０１を図中の左右方向に走査しながら蒸着することで、基板１０１の被蒸着面１０１ａに、ストライプ状のパターンを有する発光層８Ｒ・８Ｇ・８Ｂを形成したが、これに限定されることはなく、基板１０１の被蒸着面１０１ａとシャドウマスク１０２とを密着させながら、基板１０１を滑らせ蒸着させてもよい。
【０１５７】
そして、このような場合においては、基板１０１の被蒸着面１０１ａとシャドウマスク１０２との密着によって、生じ得る基板１０１の被蒸着面１０１ａの損傷をフォトレジスト１３により防止することができる。
【０１５８】
また、本実施の形態においては、正孔注入層および正孔輸送層、電子輸送層、電子注入層をシャドウマスク（オープンマスク）を用いて蒸着したが、上述した発光層のように、図１３または図１４のような蒸着方法を用いて形成することもできる。その場合、ストライプ状にパターニングするマスクの代わりに、表示領域Ｒ１の全面に開口部を形成するようなマスクを用いればよい。
【０１５９】
また、本実施の形態においては、正孔注入層および正孔輸送層、電子輸送層、電子注入層をオープンマスクを用いて蒸着したが、第２の電極を基板３の配線に接続するその他の手段があれば、オープンマスクを用いず、第２の電極と同じようにして正孔注入層および正孔輸送層、電子輸送層、電子注入層を形成することもできる。
【０１６０】
図１８は、正孔注入層、正孔輸送層、電子輸送層および電子注入層をシャドウマスク（オープンマスク）を用いずに、フォトレジストをマスクとし、第２の電極と同一形状に形成した場合における、第２の電極と外部配線とを電気的に接続する方法の一例を示す図である。
【０１６１】
本実施の形態においては、図示されている凸部１５は、フォトレジスト１３を用いて形成しているが、これに限定されることはなく、図１２の（ａ）に図示されているエッジカバー６を形成する層を用いて形成してもよい。
【０１６２】
また、凸部１５とフォトレジスト１３とエッジカバー６を形成する層とは、同一層であってもよい。
【０１６３】
そして、図示されているように、凸部１５上には、正孔注入層および正孔輸送層７、電子輸送層（未図示）、電子注入層（未図示）、および第２の電極９が形成されている。
【０１６４】
封止基板１２の基板３と対向する面には、導電性材料からなる配線兼第２の電極接続部Ｒ３が形成されており、配線兼第２の電極接続部Ｒ３は、表示領域Ｒ１内で第２の電極９と電気的に接続され、配線にて枠状に形成された封止樹脂１１によって取り囲まれた封止領域外に引き出されている。
【０１６５】
そして、配線兼第２の電極接続部Ｒ３は、導電膜１１１によって、基板３の配線１０７に接続されている。
【０１６６】
以上のような構造を用いることにより、正孔注入層、正孔輸送層、電子輸送層および電子注入層をシャドウマスク（オープンマスク）を用いずに、フォトレジストをマスクとし、第２の電極と同一形状に形成した場合においても、第２の電極を外部回路に接続することができる。
【０１６７】
したがって、発光層以外の有機層および第２の電極を、マスクレスで所定形状に形成することが可能となる。
【０１６８】
図１８に示す有機ＥＬ表示装置１ｃの製造工程においては、蒸着マスクの接触による基板上のパターンの損傷を防止することができるばかりか、フォトレジスト１３を蒸着マスクとして用いることができるので、蒸着マスクの装着時間の削減による装置タクトの向上、設備コストの低減が可能であり、結果として、有機ＥＬ表示装置１ｃのコスト削減が図れる。
【０１６９】
さらに、図１３または図１４のように基板と蒸着マスクとの間に隙間Ｇを保ちながら発光層を形成すれば、有機ＥＬ素子の製造工程において、蒸着マスクが一度も接触することがない。したがって、蒸着マスクの接触による基板上のパターン損傷の恐れが全くなくなり、有機ＥＬ表示装置１ｃの歩留まりをより向上することができる。
【０１７０】
〔実施の形態２〕
次に、図６から図８に基づいて、本発明の第２の実施形態について説明する。本実施の形態においては、発光層８Ｒ・８Ｇ・８Ｂを含む有機層の形成工程後に、フォトレジスト１３をマスクとして、封止膜を形成し、その後、フォトレジスト１３の剥離を行った後に、封止基板を用いて、有機ＥＬ素子の封止を行っている点において、実施の形態１とは異なっており、その他の構成については実施の形態１において説明したとおりである。説明の便宜上、上記の実施の形態１の図面に示した部材と同じ機能を有する部材については、同じ符号を付し、その説明を省略する。
【０１７１】
図８は、有機ＥＬ表示装置１ａの概略的な製造工程を示す図である。
【０１７２】
図８におけるＳ１からＳ７までの工程は、実施の形態１における図３で既に説明したＳ１からＳ７までの工程と同じであるため、その説明は省略する。
【０１７３】
図６は、有機ＥＬ表示装置１ａを備えた基板３ａに形成されたフォトレジスト１３のパターン形状と発光層８Ｒ・８Ｇ・８Ｂとを示す図である。
【０１７４】
そして、図６に示すようなフォトレジスト１３をマスクとして、有機ＥＬ素子の上面である第２の電極上に、水分や酸素の透過しにくい緻密な封止膜（未図示）をＣＶＤ法などで形成し、有機ＥＬ素子の側面には、封止樹脂やフリットガラス（粉末ガラス）を枠状に形成し、有機ＥＬ素子の封止を行った（Ｓ８）。
【０１７５】
なお、本実施の形態においては、発光層８Ｒ・８Ｇ・８Ｂ、第２の電極の形成および封止膜の形成をフォトレジスト１３をマスクとして用いて形成したが、これに限定されることはなく、実施の形態１で述べたように、発光層８Ｒ・８Ｇ・８Ｂ以外の有機層に対しても、フォトレジスト１３のみ、あるいはフォトレジスト１３とオープンマスクを併用して形成することもできる。
【０１７６】
その後、フォトレジスト１３を剥離する（Ｓ９）。なお、この際、上述したように有機ＥＬ素子は封止膜などで保護されているため、有機ＥＬ素子は剥離工程にて損傷をされない。
【０１７７】
それから、蒸着が完了した基板３ａに対して、第１の電極、正孔注入層および正孔輸送層、発光層８Ｒ・８Ｇ・８Ｂ、電子輸送層、電子注入層、第２の電極を備えた有機ＥＬ素子が大気中の水分や酸素にて劣化しないよう、表示領域Ｒ１を含む封止領域の封止を行う（Ｓ１０）。
【０１７８】
図７に図示されているように、表示領域Ｒ１を含む封止領域の４辺端部には、封止樹脂１１が枠状に形成され、封止樹脂１１を介して、基板３ａと封止基板（未図示）とが貼り合わせられている。
【０１７９】
そして、各有機ＥＬパネル毎に基板３ａを分断し（Ｓ１１）、蒸着不要領域Ｒ２に形成されている端子部を用いて外部回路（駆動回路）との接続を行い（Ｓ１２）、有機ＥＬ表示装置１ａを完成させる。
【０１８０】
以上のようにして作製した有機ＥＬ表示装置１ａにおいては、蒸着不要領域Ｒ２に蒸着膜が形成されない。したがって、実施の形態１と同じように、簡便に蒸着不要領域Ｒ２への蒸着膜の形成問題が解決される。
【０１８１】
さらに、フォトレジスト１３を蒸着マスクとして用いることができるので、蒸着マスクの装着時間の削減による装置タクトの向上、設備コストの低減が可能であり、結果として、有機ＥＬ表示装置１ａのコスト削減が図れる。
【０１８２】
同時に、基板３ａへのマスク密着回数の低減により、有機ＥＬパネルの表面への損傷を低減することができ、有機ＥＬ表示装置１ａの歩留まり向上に繋がる。
【０１８３】
なお、本実施の形態においては、第２の電極や封止膜の形成は、蒸着法で形成しているが、これに限定されることはなく、スパッタ法などの他の成膜法を用いることもできる。
【０１８４】
また、第２の電極の形成だけで、フォトレジスト１３の剥離工程において、有機ＥＬ素子を保護できるのであれば、封止膜の形成工程を省いてもよい。
【０１８５】
また、図７において、封止樹脂１１で囲まれる領域である封止領域の外縁も蒸着不要領域Ｒ２に含まれており、フォトレジスト１３で保護されている（図６参照）。
【０１８６】
したがって、封止樹脂１１やフリットガラス（粉末ガラス）により枠状に有機ＥＬ素子を封止する場合や、封止樹脂１１にて封止基板とＴＦＴ基板とを貼り合せて封止する場合に、封止領域の外縁で蒸着膜が基板間に介在する（挟まれる）ことがない。
【０１８７】
よって、封止樹脂１１やフリットガラスの密着性向上や空孔を防ぐことができ、封止性能を十分に発揮させることができるため、有機ＥＬ表示装置１ａの信頼性をより向上させることができる。
【０１８８】
〔実施の形態３〕
次に、図９から図１１に基づいて、本発明の第３の実施形態について説明する。本実施の形態においては、パターン膜としてフォトレジスト１３の代わりに感光性のドライフィルム１４が用いられるとともに、このドライフィルム１４の剥離工程後に、第２の電極が形成されるという点において、実施の形態１とは異なっている。
【０１８９】
また、発光層８Ｒ・８Ｇ・８Ｂ以外の有機層についても、蒸着マスクを用いず、ドライフィルム１４をマスクとして形成する点において、実施の形態１とは異なっている。
【０１９０】
また、感光性のドライフィルム１４が封止樹脂を塗布する枠状の領域まで覆っており、表示領域Ｒ１のみが開口している点で、実施の形態１とは異なっている。
【０１９１】
その他の構成については実施の形態１において説明したとおりである。説明の便宜上、上記の実施の形態１の図面に示した部材と同じ機能を有する部材については、同じ符号を付し、その説明を省略する。
【０１９２】
図１１は、有機ＥＬ表示装置１ｂの概略的な製造工程を示す図である。
【０１９３】
図１１におけるＳ１、Ｓ２およびＳ４の工程においては、パターン膜としてフォトレジスト１３の代わりに感光性のドライフィルム１４が形成される点と、この感光性のドライフィルム１４をマスクとして用いて、蒸着膜を形成している点以外は、実施の形態１における図３で既に説明したＳ１、Ｓ２およびＳ４の工程と同じであるため、その説明は省略する。
【０１９４】
そして、Ｓ３、Ｓ５およびＳ６の工程は、実施の形態１における図３のＳ７の工程と類似する。すなわち、表示領域Ｒ１のみが開口したドライフィルム１４をマスクとして正孔注入層および正孔輸送層、電子輸送層、および電子注入層が形成される。このドライフィルム１４は第２の電極接続部Ｒ３を覆っているため、その上には、上記有機層は形成されない。
【０１９５】
図９は、基板３ｂに形成された感光性のドライフィルム１４のパターン形状と発光層８Ｒ・８Ｇ・８Ｂとを示す図である。
【０１９６】
図示されているように、感光性のドライフィルム１４は、表示領域Ｒ１において、開口部を有するように形成されている。
【０１９７】
なお、本実施の形態においては、ネガ型の感光性のドライフィルム１４を用いており、この感光性のドライフィルム１４はフィルム状であり、パターニング形成後、フィルムの状態で機械的に剥離することができるようになっている。
【０１９８】
したがって、このような剥離工程においては、剥離液が用いられないため、有機ＥＬ素子を封止した状態でなくても、有機ＥＬ素子を構成する蒸着膜が損傷されることはない。
【０１９９】
そして、本実施の形態の有機ＥＬ表示装置１ｂの製造工程においては、図１１に図示されているように、第２の電極を形成する前に感光性のドライフィルム１４を剥離する（Ｓ７）。
【０２００】
その後、感光性のドライフィルム１４が剥離されているため、通常のオープンマスク（表示領域Ｒ１および第２の電極接続部Ｒ３を含む領域に開口部を有するシャドウマスク）を用いて、第２の電極を蒸着する（Ｓ８）。
【０２０１】
以上のように、蒸着が完了した基板３ｂに対して、第１の電極、正孔注入層および正孔輸送層、発光層８Ｒ・８Ｇ・８Ｂ、電子輸送層、電子注入層、第２の電極を備えた有機ＥＬ素子が大気中の水分や酸素にて劣化しないよう、表示領域Ｒ１を含む封止領域の封止を行う（Ｓ９）。
【０２０２】
図１０は、感光性のドライフィルム１４を剥離し、第２の電極の蒸着および表示領域Ｒ１を含む封止領域の封止までを行った後の基板３ｂを示す図である。
【０２０３】
図示されているように、表示領域Ｒ１を含む封止領域の４辺端部には、封止樹脂１１が枠状に形成され、封止樹脂１１を介して、基板３ｂと封止基板（未図示）とが貼り合わせられている。
【０２０４】
そして、各有機ＥＬパネル毎に基板３ｂを分断し（Ｓ１０）、蒸着不要領域Ｒ２に形成されている端子部を用いて外部回路（駆動回路）との接続を行い（Ｓ１１）、有機ＥＬ表示装置１ｂを完成させる。
【０２０５】
以上のようにして作製した有機ＥＬ表示装置１ｂでは、蒸着不要領域Ｒ２に蒸着膜が形成されない。したがって、実施の形態１および２と同じく、簡便に蒸着不要領域Ｒ２への蒸着膜の形成問題が解決される。
【０２０６】
また、感光性のドライフィルム１４を発光層８Ｒ・８Ｇ・８Ｂを含む有機膜の蒸着マスクとして用いることができるので、蒸着マスクの装着時間の削減による装置タクトの向上、設備コストの低減が可能であり、結果として、有機ＥＬ表示装置１ｂのコスト削減が図れる。
【０２０７】
同時に、マスク密着回数の低減により、有機ＥＬパネルの表面への損傷を低減することができ、有機ＥＬ表示装置１ｂの歩留まりを向上させることができる。
【０２０８】
さらには、封止樹脂１１で囲まれる領域である封止領域の外縁（封止樹脂を形成する枠状領域）も蒸着不要領域Ｒ２に含まれており、感光性のドライフィルム１４で保護されている（図９および図１０参照）。
【０２０９】
したがって、封止樹脂１１やフリットガラス（粉末ガラス）により枠状に有機ＥＬ素子を封止する場合や、封止樹脂１１にて封止基板とＴＦＴ基板とを貼り合せて封止する場合に、封止領域の外縁で蒸着膜が基板間に介在する（挟まれる）ことがない。
【０２１０】
よって、封止樹脂１１やフリットガラスの密着性向上や空孔を防ぐことができ、封止性能を十分に発揮させることができるため、有機ＥＬ表示装置１ｂの信頼性をさらに向上させることができる。
【０２１１】
本発明の蒸着膜の形成方法は、上記開口部および上記パターン膜上に上記蒸着膜を形成する工程の前または／および後には、上記パターン膜をマスクとして、上記蒸着膜とは異なる第１の膜を形成する工程が含まれており、上記パターン膜の剥離は、上記第１の膜を形成する工程の後に行われることが好ましい。
【０２１２】
上記方法によれば、上記パターン膜の形成後の工程においては、上記パターン膜を蒸着マスクとして用いることができるので、マスクレスで蒸着を行うことができ、蒸着マスクの装着時間の削減による装置タクトの向上、設備コストの低減が可能となる。
【０２１３】
同時に、蒸着マスクの密着回数の低減により、上記基板の表面への損傷を低減することができる。
【０２１４】
本発明の蒸着膜の形成方法は、上記開口部および上記パターン膜上に上記蒸着膜を形成する工程の前または／および後には、貫通孔を有するマスクを用いて、上記蒸着膜とは異なる第２の膜を形成する工程が含まれており、上記パターン膜の剥離は、上記第２の膜を形成する工程の後に行われることが好ましい。
【０２１５】
上記方法によれば、貫通孔を有するマスクと基板とは、上記パターン膜を介して密着されるため、上記パターン膜が基板の保護膜の役割をし、上記基板の表面への損傷を低減することができる。
【０２１６】
本発明の蒸着膜の形成方法においては、上記パターン膜は、感光性材料を露光および現像して形成されていることが好ましい。
【０２１７】
上記方法によれば、比較的容易に上記パターン膜をパターニングすることができるとともに、剥離液を用いて、剥離することができる。
【０２１８】
本発明の蒸着膜の形成方法においては、上記パターン膜は、フィルム状で剥離可能なドライフィルムであることが好ましい。
【０２１９】
上記方法によれば、剥離液を用いることなく、上記パターン膜をフィルム状で剥離できるので、剥離液を用いる場合に生じ得る悪影響を抑制することができる。
【０２２０】
本発明の蒸着膜の形成方法においては、上記パターン膜は、上記パターン膜を形成する工程の後工程において、分解物が生じない耐熱性材料で形成されていることが好ましい。
【０２２１】
上記方法によれば、後工程における上記パターン膜の影響を抑制することができる。
【０２２２】
本発明の蒸着膜の形成方法は、上記開口部および上記パターン膜上に上記蒸着膜を形成する工程においては、貫通孔を有するとともに、上記基板よりも面積が小さい蒸着マスクと、蒸着材料供給源から供給された蒸着粒子を上記蒸着マスクを介して、上記基板における上記パターン膜が形成された面に射出する射出口と、を備え、かつ、上記蒸着マスクと上記射出口との相対的な位置が固定されたマスクユニットにおける上記蒸着マスクは、上記基板とは、一定距離で維持されており、上記マスクユニットおよび上記基板の少なくとも何れかの一方は、他方に対して、走査され、上記蒸着膜が形成されることが好ましい。
【０２２３】
上記方法によれば、効率よく、高精細に互いに所定間隔を有する複数の直線状の上記蒸着膜を形成することができる。
【０２２４】
本発明の蒸着膜の形成方法においては、上記マスクユニットにおける上記蒸着マスクと、上記基板とは、密着されていてもよい。
【０２２５】
上記方法によれば、上記基板と上記蒸着マスクとは、上記パターン膜を介して密着されているため、上記蒸着マスクによる上記基板への損傷を上記パターン膜によって、防止することができる。
【０２２６】
本発明の表示装置の製造方法は、上記パターン膜をマスクとして、上記有機層中、上記発光層以外の層および金属層を含む無機層における少なくとも一つ以上の層を形成する工程が含まれていることが好ましい。
【０２２７】
上記方法によれば、上記有機層中、上記発光層以外の層、金属層および無機層の中から選択される少なくとも一つ以上の層を形成する工程において、上記パターン膜をマスクとして用いることができるので、これらの膜を形成する工程においては、マスクレスで蒸着を行うことができ、マスクの装着時間の削減による装置タクトの向上、設備コストの低減が可能となる。
【０２２８】
同時に、マスクの密着回数の低減により、上記基板の表面への損傷を低減することができる。
【０２２９】
したがって、上記方法によれば、歩留まりや信頼性の向上を図れるとともに、製造コストを抑制することができる。
【０２３０】
本発明の表示装置の製造方法は、貫通孔を有するマスクを用いて、上記有機層中、上記発光層以外の層および金属層を含む無機層における少なくとも一つ以上の層を形成する工程が含まれていることが好ましい。
【０２３１】
上記方法によれば、貫通孔を有するマスクと基板とは、上記パターン膜を介して密着されるため、上記パターン膜が基板の保護膜の役割をし、上記基板の表面への損傷を低減することができるので、歩留まりや信頼性の向上された表示装置の製造方法を実現できる。
【０２３２】
本発明の表示装置の製造方法においては、上記パターン膜の剥離は、上記第２の電極を形成する工程の後に行われ、上記第２の電極を形成する工程においては、上記パターン膜をマスクとして、上記第２の電極が形成されることが好ましい。
【０２３３】
上記パターン膜を上記第２の電極を形成する工程において、マスクとして用いることができるので、上記第２の電極を形成する工程をマスクレスで行うことができ、マスクの装着時間の削減による装置タクトの向上、設備コストの低減が可能となる。
【０２３４】
同時に、蒸着マスクの密着回数の低減により、上記基板の表面への損傷を低減することができる。
【０２３５】
本発明の表示装置の製造方法は、上記第２の電極を形成する工程においては、貫通孔を有するマスクを用いて、上記第２の電極が形成されることが好ましい。
【０２３６】
上記方法によれば、貫通孔を有するマスクを用いて、上記第２の電極を形成しているため、配線の接続部と上記第２の電極との間に有機層が介在しないように、上記第２の電極の形状を形成することができる。
【０２３７】
本発明の表示装置の製造方法は、上記第１の電極と、上記有機層と、上記第２の電極と、を封止部材で封止する工程を有し、上記パターン膜を剥離する工程は、上記封止部材で封止する工程の後に行われることが好ましい。
【０２３８】
上記方法によれば、上記第１の電極と、上記有機層と、上記第２の電極と、を封止部材で封止した状態で上記パターン膜を剥離するので、剥離液による悪影響を抑制することができる。
【０２３９】
本発明の表示装置の製造方法は、上記パターン膜をマスクとして、上記第１の電極と、上記有機層と、上記第２の電極と、を封止する封止膜を形成する工程を有し、上記封止膜を形成する工程は、上記パターン膜を剥離する前に行われ、上記パターン膜を剥離した後には、上記第１の電極と、上記有機層と、上記第２の電極と、上記封止膜と、を封止部材で封止する工程を行うことが好ましい。
【０２４０】
上記方法によれば、上記第１の電極と、上記有機層と、上記第２の電極と、を封止膜で封止した状態で上記パターン膜を剥離するので、剥離液による悪影響を抑制することができる。
【０２４１】
また、上記封止膜とは別途に、封止部材で封止もされているため、信頼性を向上させることができる。
【０２４２】
本発明の表示装置の製造方法おいては、上記パターン膜は、感光性材料を露光および現像して形成されていることが好ましい。
【０２４３】
上記方法によれば、比較的容易に上記パターン膜をパターニングすることができるとともに、剥離液を用いて、剥離することができる。
【０２４４】
本発明の表示装置の製造方法おいては、上記パターン膜が、感光性材料を露光および現像して形成されるフィルム状で剥離可能なドライフィルムである場合には、上記第１の電極と、上記有機層と、上記第２の電極と、を封止部材で封止する工程の前に、上記パターン膜を剥離することが好ましい。
【０２４５】
上記方法によれば、剥離液を用いずに、上記パターン膜を剥離できるので、上記封止部材で封止する工程の前に、上記パターン膜を剥離できる。
【０２４６】
本発明の表示装置の製造方法おいては、上記パターン膜は、上記パターン膜を形成する工程の後工程において、分解物が生じない耐熱性材料で形成されていることが好ましい。
【０２４７】
上記方法によれば、後工程における上記パターン膜の分解物の影響を抑制することができる。
【０２４８】
本発明の表示装置の製造方法は、上記第１の電極と、上記有機層と、上記第２の電極と、を封止部材で封止する工程の前に、上記表示領域の一部に、上記封止部材を支える凸部を形成する工程を有することが好ましい。
【０２４９】
上記方法によって形成された上記凸部によって、例えば、上記封止部材が押されたりして、上記有機層や上記第２の電極などが上記封止部材と接触して損傷するのを、防止することができる。
【０２５０】
本発明の表示装置の製造方法おいては、上記凸部上には、上記第２の電極が備えられていることが好ましい。
【０２５１】
上記第２の電極の形状と上記有機層中、上記発光層以外の層の形状とが、同じである場合、上記第２の電極の下部には、常に有機層が存在するため、外部からの配線と上記第２の電極との間には有機層が介在してしまうので、外部からの配線と上記第２の電極とを電気的に接続するのは困難であった。
【０２５２】
上記方法によれば、上記第２の電極の形状と上記有機層中、上記発光層以外の層の形状とが、同じであっても、例えば、上記凸部上に設けられた第２の電極を用いて、上記封止部材側に設けられた配線を介して、上記基板側に設けられた配線との電気的な接続が可能となる。
【０２５３】
本発明の表示装置の製造方法おいては、上記凸部を形成する工程は、上記パターン膜を形成する工程と同一工程であることが好ましい。
【０２５４】
上記方法によれば、上記凸部は、上記パターン膜を形成する工程で形成されるので、上記凸部を設けるための別途の工程が必要ない。
【０２５５】
本発明の表示装置の製造方法おいては、上記パターン膜を形成する工程は、上記第１の電極の端部を覆うように形成されているエッジカバーを形成する工程と同一工程であることが好ましい。
【０２５６】
上記方法によれば、上記パターン膜は、エッジカバーを形成する工程で形成されるので、上記パターン膜を設けるための別途の工程が必要ない。
【０２５７】
本発明の表示装置の製造方法おいては、上記開口部および上記パターン膜上に、上記マトリクス状に形成された第１の電極の行方向または、列方向に沿って、互いに所定間隔を有する複数の直線状の少なくとも上記発光層を形成する際には、貫通孔を有するとともに、上記基板よりも面積が小さい蒸着マスクと、蒸着材料供給源から供給された蒸着粒子を上記蒸着マスクを介して、上記基板における上記パターン膜が形成された面に射出する射出口と、を備え、かつ、上記蒸着マスクと上記射出口との相対的な位置が固定されたマスクユニットにおける上記蒸着マスクは、上記基板とは、一定距離で維持されており、上記マスクユニットおよび上記基板の少なくとも何れかの一方は、他方に対して、走査され、少なくとも上記発光層が形成されることが好ましい。
【０２５８】
上記方法によれば、効率よく、歩留まりや信頼性の向上された表示装置の製造方法を実現することができる。
【０２５９】
本発明の表示装置の製造方法おいては、上記マスクユニットにおける上記蒸着マスクと、上記基板とは、密着されていてもよい。
【０２６０】
上記方法によれば、上記基板と上記蒸着マスクとは、上記パターン膜を介して密着されているため、上記蒸着マスクによる上記基板への損傷を上記パターン膜によって、防止することができる。
【０２６１】
本発明の表示装置の製造方法おいては、上記表示領域の周辺領域である非表示領域において、上記封止部材が形成される領域にも上記パターン膜が形成されていることが好ましい。
【０２６２】
上記方法によれば、封止部材が形成される領域で蒸着膜が基板間に介在する（挟まれる）ことがないので、封止部材の密着性向上や空孔を防ぐことができ、封止性能を十分に発揮させることができるため、有機ＥＬ表示装置の信頼性をより向上させることができる。
【０２６３】
本発明は上記した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。
【産業上の利用可能性】
【０２６４】
本発明は、例えば、有機ＥＬ表示装置の製造工程などに好適に用いることができる。
【符号の説明】
【０２６５】
１、１ａ、１ｂ、１ｃ        有機ＥＬ表示装置（表示装置）
２                          ＴＦＴ（アクティブ素子）
３、３ａ、３ｂ              基板
５                          第１の電極
７                          正孔注入層および正孔輸送層（有機層）
８Ｒ、８Ｇ、８Ｂ            発光層
９                          第２の電極
１０                        有機ＥＬ素子
１１                        封止樹脂（封止部材）
１２                        封止基板（封止部材）
１３                        フォトレジスト（パターン膜）
１４                        感光性のドライフィルム（パターン膜）
１５                        凸部
Ｒ１                        表示領域
Ｒ２                        蒸着不要領域（非表示領域）
Ｒ３                        第２の電極接続部
【図２】
2012090771.tif 000003
【図３】
2012090771.tif 000004
【図４】
2012090771.tif 000005
【図５】
2012090771.tif 000006
【図６】
2012090771.tif 000007
【図７】
2012090771.tif 000008
【図８】
2012090771.tif 000009
【図９】
2012090771.tif 000010
【図１０】
2012090771.tif 000011
【図１１】
2012090771.tif 000012
【図１２】
2012090771.tif 000013
【図１３】
2012090771.tif 000014
【図１４】
2012090771.tif 000015
【図１５】
2012090771.tif 000016
【図１６】
2012090771.tif 000017
【図１７】
2012090771.tif 000018
【図１８】
2012090771.tif 000019
【図１】
2012090771.tif 000020
【手続補正書】
【提出日】平成25年4月4日(2013.4.4)
【手続補正１】
【補正対象書類名】特許請求の範囲
【補正対象項目名】全文
【補正方法】変更
【補正の内容】
【特許請求の範囲】
【請求項１】
基板に所定形状の蒸着膜を形成する蒸着膜の形成方法であって、
上記基板において上記蒸着膜が形成される面に、開口部を有するとともに剥離可能な所定形状のパターン膜を形成する工程と、
上記開口部および上記パターン膜上に、上記基板面上のある一つの方向に沿って、互いに所定間隔を有する複数の直線状の上記蒸着膜を形成する工程と、
上記パターン膜を剥離することによって、上記蒸着膜を所定形状に形成する工程と、を有し、
上記開口部および上記パターン膜上に上記蒸着膜を形成する工程においては、
貫通孔を有するとともに、上記基板よりも面積が小さい蒸着マスクと、蒸着材料供給源から供給された蒸着粒子を上記蒸着マスクを介して、上記基板における上記パターン膜が形成された面に射出する射出口と、を備え、かつ、上記蒸着マスクと上記射出口との相対的な位置が固定されたマスクユニットにおける上記蒸着マスクは、上記基板とは、一定距離で維持されており、
上記マスクユニットおよび上記基板の少なくとも何れかの一方は、他方に対して、走査され、上記蒸着膜が形成されることを特徴とする蒸着膜の形成方法。
【請求項２】
基板に所定形状の蒸着膜を形成する蒸着膜の形成方法であって、
上記基板において上記蒸着膜が形成される面に、開口部を有するとともに剥離可能な所定形状のパターン膜を形成する工程と、
上記開口部および上記パターン膜上に、上記基板面上のある一つの方向に沿って、互いに所定間隔を有する複数の直線状の上記蒸着膜を形成する工程と、
上記パターン膜を剥離することによって、上記蒸着膜を所定形状に形成する工程と、を有し、
上記開口部および上記パターン膜上に上記蒸着膜を形成する工程の前または／および後には、貫通孔を有するマスクを用いて、上記蒸着膜とは異なる第２の膜を形成する工程が含まれており、
上記パターン膜の剥離は、上記第２の膜を形成する工程の後に行われることを特徴とする蒸着膜の形成方法。
【請求項３】
上記開口部および上記パターン膜上に上記蒸着膜を形成する工程においては、
貫通孔を有するとともに、上記基板よりも面積が小さい蒸着マスクと、蒸着材料供給源から供給された蒸着粒子を上記蒸着マスクを介して、上記基板における上記パターン膜が形成された面に射出する射出口と、を備え、かつ、上記蒸着マスクと上記射出口との相対的な位置が固定されたマスクユニットにおける上記蒸着マスクは、上記基板とは、一定距離で維持されており、
上記マスクユニットおよび上記基板の少なくとも何れかの一方は、他方に対して、走査され、上記蒸着膜が形成されることを特徴とする請求項２に記載の蒸着膜の形成方法。
【請求項４】
上記開口部および上記パターン膜上に上記蒸着膜を形成する工程の前または／および後には、上記パターン膜をマスクとして、上記蒸着膜とは異なる第１の膜を形成する工程が含まれており、
上記パターン膜の剥離は、上記第１の膜を形成する工程の後に行われることを特徴とする請求項１に記載の蒸着膜の形成方法。
【請求項５】
上記パターン膜は、感光性材料を露光および現像して形成されていることを特徴とする請求項１から４の何れか１項に記載の蒸着膜の形成方法。
【請求項６】
上記パターン膜は、フィルム状で剥離可能なドライフィルムであることを特徴とする請求項５に記載の蒸着膜の形成方法。
【請求項７】
上記パターン膜は、上記パターン膜を形成する工程の後工程において、分解物が生じない耐熱性材料で形成されていることを特徴とする請求項１から６の何れか１項に記載の蒸着膜の形成方法。
【請求項８】
上記マスクユニットにおける上記蒸着マスクと、上記基板とは、密着されていることを特徴とする請求項１、３および４の何れか１項に記載の蒸着膜の形成方法。
【請求項９】
基板上に複数のアクティブ素子を形成する工程と、
上記各々のアクティブ素子に電気的に接続され、かつ、上記基板上の表示領域にマトリクス状に第１の電極を形成する工程と、
上記第１の電極上に、少なくとも発光層を含む有機層を形成する工程と、
少なくとも上記有機層上に、上記第１の電極とは逆の極性を有する第２の電極を形成する工程と、を有する表示装置の製造方法であって、
上記有機層中、少なくとも上記発光層を形成する工程においては、
上記表示領域には、剥離可能なパターン膜の開口部が形成され、
上記表示領域の周辺領域である非表示領域の少なくとも一部には、上記パターン膜が形成され、
上記開口部および上記パターン膜上に、上記マトリクス状に形成された第１の電極の行方向または、列方向に沿って、互いに所定間隔を有する複数の直線状の少なくとも上記発光層を形成する際には、
貫通孔を有するとともに、上記基板よりも面積が小さい蒸着マスクと、蒸着材料供給源から供給された蒸着粒子を上記蒸着マスクを介して、上記基板における上記パターン膜が形成された面に射出する射出口と、を備え、かつ、上記蒸着マスクと上記射出口との相対的な位置が固定されたマスクユニットにおける上記蒸着マスクは、上記基板とは、一定距離で維持されており、
上記マスクユニットおよび上記基板の少なくとも何れかの一方は、他方に対して、走査され、少なくとも上記発光層が形成され、
上記有機層中、少なくとも上記発光層を形成する工程の後または、上記第２の電極を形成する工程の後に、
上記パターン膜を剥離することによって、少なくとも上記発光層を所定形状に形成することを特徴とする表示装置の製造方法。
【請求項１０】
上記パターン膜をマスクとして、上記有機層中、上記発光層以外の層および金属層を含む無機層における少なくとも一つ以上の層を形成する工程が含まれていることを特徴とする請求項９に記載の表示装置の製造方法。
【請求項１１】
貫通孔を有するマスクを用いて、上記有機層中、上記発光層以外の層および金属層を含む無機層における少なくとも一つ以上の層を形成する工程が含まれていることを特徴とする請求項９に記載の表示装置の製造方法。
【請求項１２】
上記パターン膜の剥離は、上記第２の電極を形成する工程の後に行われ、
上記第２の電極を形成する工程においては、上記パターン膜をマスクとして、上記第２の電極が形成されることを特徴とする請求項１０に記載の表示装置の製造方法。
【請求項１３】
上記第２の電極を形成する工程においては、貫通孔を有するマスクを用いて、上記第２の電極が形成されることを特徴とする請求項１１に記載の表示装置の製造方法。
【請求項１４】
上記第１の電極と、上記有機層と、上記第２の電極と、を封止部材で封止する工程を有し、
上記パターン膜を剥離する工程は、上記封止部材で封止する工程の後に行われることを特徴とする請求項９から１３の何れか１項に記載の表示装置の製造方法。
【請求項１５】
上記パターン膜をマスクとして、上記第１の電極と、上記有機層と、上記第２の電極と、を封止する封止膜を形成する工程を有し、
上記封止膜を形成する工程は、上記パターン膜を剥離する前に行われ、
上記パターン膜を剥離した後には、上記第１の電極と、上記有機層と、上記第２の電極と、上記封止膜と、を封止部材で封止する工程を行うことを特徴とする請求項９から１３の何れか１項に記載の表示装置の製造方法。
【請求項１６】
上記パターン膜は、感光性材料を露光および現像して形成されていることを特徴とする請求項９から１５の何れか１項に記載の表示装置の製造方法。
【請求項１７】
上記パターン膜が、感光性材料を露光および現像して形成されるフィルム状で剥離可能なドライフィルムである場合には、
上記第１の電極と、上記有機層と、上記第２の電極と、を封止部材で封止する工程の前に、上記パターン膜を剥離することを特徴とする請求項９から１３の何れか１項に記載の表示装置の製造方法。
【請求項１８】
上記パターン膜は、上記パターン膜を形成する工程の後工程において、分解物が生じない耐熱性材料で形成されていることを特徴とする請求項９から１７の何れか１項に記載の表示装置の製造方法。
【請求項１９】
上記第１の電極と、上記有機層と、上記第２の電極と、を封止部材で封止する工程の前に、上記表示領域の一部に、上記封止部材を支える凸部を形成する工程を有することを特徴とする請求項９から１８の何れか１項に記載の表示装置の製造方法。
【請求項２０】
上記凸部上には、上記第２の電極が備えられていることを特徴とする請求項１９に記載の表示装置の製造方法。
【請求項２１】
上記凸部を形成する工程は、上記パターン膜を形成する工程と同一工程であることを特徴とする請求項１９または２０に記載の表示装置の製造方法。
【請求項２２】
上記パターン膜を形成する工程は、上記第１の電極の端部を覆うように形成されているエッジカバーを形成する工程と同一工程であることを特徴とする請求項９から２１の何れか１項に記載の表示装置の製造方法。
【請求項２３】
上記マスクユニットにおける上記蒸着マスクと、上記基板とは、密着されていることを特徴とする請求項９に記載の表示装置の製造方法。
【請求項２４】
上記表示領域の周辺領域である非表示領域において、上記封止部材が形成される領域にも上記パターン膜が形成されていることを特徴とする請求項１５または１７に記載の表示装置の製造方法。
【手続補正書】
【提出日】平成25年7月16日(2013.7.16)
【手続補正１】
【補正対象書類名】特許請求の範囲
【補正対象項目名】全文
【補正方法】変更
【補正の内容】
【特許請求の範囲】
【請求項１】
基板に所定形状の蒸着膜を形成する蒸着膜の形成方法であって、
上記基板において上記蒸着膜が形成される面に、開口部を有するとともに剥離可能な所定形状のパターン膜を形成する工程と、
上記開口部および上記パターン膜上に、上記基板面上のある一つの方向に沿って、互いに所定間隔を有する複数の直線状の上記蒸着膜を形成する工程と、
上記パターン膜を剥離することによって、上記蒸着膜を所定形状に形成する工程と、を有し、
上記開口部および上記パターン膜上に上記蒸着膜を形成する工程においては、
貫通孔を有するとともに、上記基板よりも面積が小さい蒸着マスクと、蒸着材料供給源から供給された蒸着粒子を上記蒸着マスクを介して、上記基板における上記パターン膜が形成された面に射出する射出口と、を備え、かつ、上記蒸着マスクと上記射出口との相対的な位置が固定されたマスクユニットにおける上記蒸着マスクは、上記基板とは、一定距離で維持されており、
上記マスクユニットおよび上記基板の少なくとも何れかの一方は、他方に対して、走査され、上記蒸着膜が形成されることを特徴とする蒸着膜の形成方法。
【請求項２】
基板に所定形状の蒸着膜を形成する蒸着膜の形成方法であって、
上記基板において上記蒸着膜が形成される面に、開口部を有するとともに剥離可能な所定形状のパターン膜を形成する工程と、
上記開口部および上記パターン膜上に、上記基板面上のある一つの方向に沿って、互いに所定間隔を有する複数の直線状の上記蒸着膜を形成する工程と、
上記パターン膜を剥離することによって、上記蒸着膜を所定形状に形成する工程と、を有し、
上記開口部および上記パターン膜上に上記蒸着膜を形成する工程の前または／および後には、貫通孔を有するマスクを用いて、上記蒸着膜とは異なる第２の膜を形成する工程が含まれており、
上記パターン膜の剥離は、上記第２の膜を形成する工程の後に行われることを特徴とする蒸着膜の形成方法。
【請求項３】
上記開口部および上記パターン膜上に上記蒸着膜を形成する工程においては、
貫通孔を有するとともに、上記基板よりも面積が小さい蒸着マスクと、蒸着材料供給源から供給された蒸着粒子を上記蒸着マスクを介して、上記基板における上記パターン膜が形成された面に射出する射出口と、を備え、かつ、上記蒸着マスクと上記射出口との相対的な位置が固定されたマスクユニットにおける上記蒸着マスクは、上記基板とは、一定距離で維持されており、
上記マスクユニットおよび上記基板の少なくとも何れかの一方は、他方に対して、走査され、上記蒸着膜が形成されることを特徴とする請求項２に記載の蒸着膜の形成方法。
【請求項４】
上記開口部および上記パターン膜上に上記蒸着膜を形成する工程の前または／および後には、上記パターン膜をマスクとして、上記蒸着膜とは異なる第１の膜を形成する工程が含まれており、
上記パターン膜の剥離は、上記第１の膜を形成する工程の後に行われることを特徴とする請求項１に記載の蒸着膜の形成方法。
【請求項５】
上記パターン膜は、感光性材料を露光および現像して形成されていることを特徴とする請求項１から４の何れか１項に記載の蒸着膜の形成方法。
【請求項６】
上記パターン膜は、フィルム状で剥離可能なドライフィルムであることを特徴とする請求項５に記載の蒸着膜の形成方法。
【請求項７】
上記パターン膜は、上記パターン膜を形成する工程の後工程において、分解物が生じない耐熱性材料で形成されていることを特徴とする請求項１から６の何れか１項に記載の蒸着膜の形成方法。
【請求項８】
上記マスクユニットにおける上記蒸着マスクと、上記基板とは、密着されていることを特徴とする請求項１、３および４の何れか１項に記載の蒸着膜の形成方法。
【請求項９】
基板上に複数のアクティブ素子を形成する工程と、
上記各々のアクティブ素子に電気的に接続され、かつ、上記基板上の表示領域にマトリクス状に第１の電極を形成する工程と、
上記第１の電極上に、少なくとも発光層を含む有機層を形成する工程と、
少なくとも上記有機層上に、上記第１の電極とは逆の極性を有する第２の電極を形成する工程と、を有する表示装置の製造方法であって、
上記有機層中、少なくとも上記発光層を形成する工程においては、
上記表示領域には、剥離可能なパターン膜の開口部が形成され、
上記表示領域の周辺領域である非表示領域の少なくとも一部には、上記パターン膜が形成され、
上記開口部および上記パターン膜上に、上記マトリクス状に形成された第１の電極の行方向または、列方向に沿って、互いに所定間隔を有する複数の直線状の少なくとも上記発光層を形成する際には、
貫通孔を有するとともに、上記基板よりも面積が小さい蒸着マスクと、蒸着材料供給源から供給された蒸着粒子を上記蒸着マスクを介して、上記基板における上記パターン膜が形成された面に射出する射出口と、を備え、かつ、上記蒸着マスクと上記射出口との相対的な位置が固定されたマスクユニットにおける上記蒸着マスクは、上記基板とは、一定距離で維持されており、
上記マスクユニットおよび上記基板の少なくとも何れかの一方は、他方に対して、走査され、少なくとも上記発光層が形成され、
上記有機層中、少なくとも上記発光層を形成する工程の後または、上記第２の電極を形成する工程の後に、
上記パターン膜を剥離することによって、少なくとも上記発光層を所定形状に形成することを特徴とする表示装置の製造方法。
【請求項１０】
上記パターン膜をマスクとして、上記有機層中の発光層以外の層、および金属層を含む無機層における少なくとも一つ以上の層を形成する工程が含まれていることを特徴とする請求項９に記載の表示装置の製造方法。
【請求項１１】
貫通孔を有するマスクを用いて、上記有機層中の発光層以外の層、および金属層を含む無機層における少なくとも一つ以上の層を形成する工程が含まれていることを特徴とする請求項９に記載の表示装置の製造方法。
【請求項１２】
上記パターン膜の剥離は、上記第２の電極を形成する工程の後に行われ、
上記第２の電極を形成する工程においては、上記パターン膜をマスクとして、上記第２の電極が形成されることを特徴とする請求項１０に記載の表示装置の製造方法。
【請求項１３】
上記第２の電極を形成する工程においては、貫通孔を有するマスクを用いて、上記第２の電極が形成されることを特徴とする請求項１１に記載の表示装置の製造方法。
【請求項１４】
上記第１の電極と、上記有機層と、上記第２の電極と、を封止部材で封止する工程を有し、
上記パターン膜を剥離する工程は、上記封止部材で封止する工程の後に行われることを特徴とする請求項９から１３の何れか１項に記載の表示装置の製造方法。
【請求項１５】
上記パターン膜をマスクとして、上記第１の電極と、上記有機層と、上記第２の電極と、を封止する封止膜を形成する工程を有し、
上記封止膜を形成する工程は、上記パターン膜を剥離する前に行われ、
上記パターン膜を剥離した後には、上記第１の電極と、上記有機層と、上記第２の電極と、上記封止膜と、を封止部材で封止する工程を行うことを特徴とする請求項９から１３の何れか１項に記載の表示装置の製造方法。
【請求項１６】
上記パターン膜は、感光性材料を露光および現像して形成されていることを特徴とする請求項９から１５の何れか１項に記載の表示装置の製造方法。
【請求項１７】
上記パターン膜が、感光性材料を露光および現像して形成されるフィルム状で剥離可能なドライフィルムである場合には、
上記第１の電極と、上記有機層と、上記第２の電極と、を封止部材で封止する工程の前に、上記パターン膜を剥離することを特徴とする請求項９から１３の何れか１項に記載の表示装置の製造方法。
【請求項１８】
上記パターン膜は、上記パターン膜を形成する工程の後工程において、分解物が生じない耐熱性材料で形成されていることを特徴とする請求項９から１７の何れか１項に記載の表示装置の製造方法。
【請求項１９】
上記第１の電極と、上記有機層と、上記第２の電極と、を封止部材で封止する工程の前に、上記表示領域の一部に、上記封止部材を支える凸部を形成する工程を有することを特徴とする請求項９から１８の何れか１項に記載の表示装置の製造方法。
【請求項２０】
上記凸部上には、上記第２の電極が備えられていることを特徴とする請求項１９に記載の表示装置の製造方法。
【請求項２１】
上記凸部を形成する工程は、上記パターン膜を形成する工程と同一工程であることを特徴とする請求項１９または２０に記載の表示装置の製造方法。
【請求項２２】
上記パターン膜を形成する工程は、上記第１の電極の端部を覆うように形成されているエッジカバーを形成する工程と同一工程であることを特徴とする請求項９から２１の何れか１項に記載の表示装置の製造方法。
【請求項２３】
上記マスクユニットにおける上記蒸着マスクと、上記基板とは、密着されていることを特徴とする請求項９に記載の表示装置の製造方法。
【請求項２４】
上記表示領域の周辺領域である非表示領域において、上記封止部材が形成される領域にも上記パターン膜が形成されていることを特徴とする請求項１５または１７に記載の表示装置の製造方法。
【国際調査報告】
2012090771.tif 000021
2012090771.tif 000022
2012090771.tif 000023
2012090771.tif 000024